(57)【要約】【課題】室内温度が設定温度に達するまでの時間を短縮して、快適性を向上させることができる空気調和機を提供する。【解決手段】冷凍回路１４では、圧縮機５１、室内熱交換器２１、電動弁５４及び室外熱交換器５３の順に冷媒が循環して暖房運転が行なわれる。制御装置８０は、暖房運転において、通常暖房モードと急速暖房モードの選択が可能な構成になっている。通常暖房モードでは、目標温度に基づいて目標温度より低く設定される第１閾値温度に室内温度が達すると圧縮機５１の運転周波数を低下させる。それに対して、急速暖房モードでは、目標温度に基づいて第１閾値温度よりも高く設定される第２閾値温度に達するまで制御装置８０は圧縮機５１の運転周波数を低下させない。【選択図】図１
2014040969.tif 000002
【特許請求の範囲】
【請求項１】
圧縮機（５１）、室内熱交換器（２１）、減圧機構（５４）及び室外熱交換器（５３）の順に冷媒を循環させて暖房運転を行う冷凍回路（１４）及び圧縮機（５１）、室外熱交換器（５３）、減圧機構（５４）及び室内熱交換器（２１）の順に冷媒を循環させて冷房運転を行う冷凍回路（１４）のうちの少なくとも一方と、
前記暖房運転における通常暖房モードと急速暖房モードとの選択及び前記冷房運転における通常冷房モードと急速冷房モードとの選択のうちの少なくとも一方の選択ができるように構成されている制御装置（８０）と、
を備え、
前記制御装置は、前記通常暖房モードでは目標温度に基づいて前記目標温度より低く設定される第１閾値温度に室内温度が達すると前記圧縮機の運転周波数を低下させる運転を行い、前記急速暖房モードでは前記目標温度に基づいて前記第１閾値温度よりも高く設定される第２閾値温度に達するまで前記圧縮機の運転周波数を低下させない運転を行い、前記通常冷房モードでは前記目標温度に基づいて前記目標温度より高く設定される第３閾値温度に室内温度が達すると前記圧縮機の運転周波数を低下させる運転を行い、前記急速冷房モードでは、前記目標温度に基づいて前記第３閾値温度よりも低く設定される第４閾値温度に達するまで前記圧縮機の運転周波数を低下させない運転を行なう、
空気調和機。
【請求項２】
前記制御装置は、前記急速暖房モードにおいては、前記第２閾値温度に達するまで前記圧縮機の運転周波数を最大周波数に維持し、前記急速冷房モードにおいては、前記第４閾値温度に達するまで前記圧縮機の運転周波数を最大周波数に維持する、
請求項１に記載の空気調和機。
【請求項３】
前記室内熱交換器を通して室内に送風する室内ファン（２２）をさらに備え、
前記制御装置は、前記急速暖房モードにおいては、前記第２閾値温度に達するまで前記室内ファンに最大回転数を維持させ、前記急速冷房モードにおいては、前記第４閾値温度に達するまで前記室内ファンに最大回転数を維持させる、
請求項１又は請求項２に記載の空気調和機。
【請求項４】
前記室内ファンが送風する風の風向を制御する風向調節板（３２，３４）をさらに備え、
前記制御装置は、前記急速暖房モードにおいては、前記第２閾値温度に達するまで前記風向調節板の向きを圧力損失が最小になる向きに維持し、前記急速冷房モードにおいては、前記第４閾値温度に達するまで前記風向調節板の向きを圧力損失が最小になる向きに維持する、
請求項１から３のいずれか一項に記載の空気調和機。
【請求項５】
前記制御装置は、前記急速暖房モードにおいては、前記第２閾値温度に達した後に、風向を上下に変更する動作と左右に変更する動作とを前記風向調節板に交互に行なわせ、前記急速冷房モードにおいては、前記第４閾値温度に達した後に、風向を上下に変更する動作と左右に変更する動作とを前記風向調節板に交互に行なわせる、
請求項４に記載の空気調和機。
【請求項６】
前記制御装置は、前記急速暖房モード及び前記急速冷房モードのうちの少なくとも一方においては、サーモオフさせない制御を行なう、
請求項１から５のいずれか一項に記載の空気調和機。
【請求項７】
前記制御装置は、前記急速暖房モードを指示されたときは、前記第２閾値温度を超えてから第１所定時間が経過した時点で前記急速暖房モードを終了し、前記急速冷房モードを指示されたときは、前記第４閾値温度を超えてから第２所定時間が経過した時点で前記急速暖房モードを終了する、
請求項１から６のいずれか一項に記載の空気調和機。
【請求項８】
前記急速暖房モード及び前記急速冷房モードのうちの少なくとも一方を入力する専用の操作ボタン（８４ｇ）を有し、前記操作ボタンが操作されると前記通常暖房モードから前記急速暖房モード又は前記通常冷房モードから前記急速冷房モードに切り換える指示を前記制御装置に送信するリモートコントローラ（８４）をさらに備える、
請求項１から７のいずれか一項に記載の空気調和機。
【発明の詳細な説明】
【技術分野】
【０００１】
本発明は、冷凍回路を用いて暖房運転を行う空気調和機に関する。
【背景技術】
【０００２】
従来から知られている空気調和機の中には、圧縮機、室外熱交換器、減圧機構及び室内熱交換器などで冷凍回路を構成し、冷凍回路に冷媒を循環させて熱交換するものがある。このような空気調和機では、室外熱交換器や室内熱交換器で熱交換を行なわせるために、冷媒を圧縮機で圧縮して圧縮機から高温の冷媒を吐出させる。
【０００３】
このような空気調和機では、運転中、空調負荷に応じて圧縮機の運転周波数が制御され、空調負荷に応じた適切な熱交換能力が発揮される（例えば、特許文献１（特開平０７−３３２７７２号公報））。
【発明の概要】
【発明が解決しようとする課題】
【０００４】
しかし、ユーザが設定した温度まで室内温度を上げる際には、設定温度に近づくと圧縮機の運転周波数が低下する。そのため、設定温度に達するまでの時間が長くなりがちで、レリース制御の回数を減らしただけでは快適性の向上が十分に達せられているとは言い難い。
【０００５】
本発明の課題は、室内温度が設定温度に達するまでの時間を短縮して、快適性を向上させることができる空気調和機を提供することにある。
【課題を解決するための手段】
【０００６】
本発明の第１観点に係る空気調和機は、圧縮機、室内熱交換器、減圧機構及び室外熱交換器の順に冷媒を循環させて暖房運転を行う冷凍回路及び圧縮機、室外熱交換器、減圧機構及び室内熱交換器の順に冷媒を循環させて冷房運転を行う冷凍回路のうちの少なくとも一方と、暖房運転における通常暖房モードと急速暖房モードとの選択及び冷房運転における通常冷房モードと急速冷房モードとの選択のうちの少なくとも一方の選択ができるように構成されている制御装置と、を備え、制御装置は、通常暖房モードでは目標温度に基づいて目標温度より低く設定される第１閾値温度に室内温度が達すると圧縮機の運転周波数を低下させる運転を行い、急速暖房モードでは目標温度に基づいて第１閾値温度よりも高く設定される第２閾値温度に達するまで圧縮機の運転周波数を低下させない運転を行い、通常冷房モードでは目標温度に基づいて目標温度より高く設定される第３閾値温度に室内温度が達すると圧縮機の運転周波数を低下させる運転を行い、急速冷房モードでは、目標温度に基づいて第３閾値温度よりも低く設定される第４閾値温度に達するまで圧縮機の運転周波数を低下させない運転を行なうものである。
【０００７】
第１観点に係る空気調和機によれば、通常暖房モードでは圧縮機の運転周波数が低下する温度域でも、急速暖房モードが選択されると圧縮機の運転周波数を低下させないで温度上昇を早めることができる。また、通常冷房モードでは圧縮機の運転周波数が低下する温度域でも、急速冷房モードが選択されると圧縮機の運転周波数を低下させないで温度低下を早めることができる。
【０００８】
本発明の第２観点に係る空気調和機は、第１観点に係る空気調和機において、制御装置は、急速暖房モードにおいて、第２閾値温度に達するまで圧縮機の運転周波数を最大周波数に維持し、急速冷房モードにおいては、第４閾値温度に達するまで圧縮機の運転周波数を最大周波数に維持する。
【０００９】
第２観点に係る空気調和機によれば、急速暖房モードが選択されると第２閾値温度に達するまで最大周波数で圧縮機が運転されるので、第２閾値温度に達するまで圧縮機の運転により室内に与えられる熱量が最大化される。また、急速冷房モードが選択されると第４閾値温度に達するまで最大周波数で圧縮機が運転されるので、第４閾値温度に達するまで圧縮機の運転により室内から奪われる熱量が最大化される。
【００１０】
本発明の第３観点に係る空気調和機は、第１観点又は第２観点の空気調和機において、室内熱交換器を通して室内に送風する室内ファンをさらに備え、制御装置は、急速暖房モードにおいては、第２閾値温度に達するまで室内ファンに最大回転数を維持させ、急速冷房モードにおいては、第４閾値温度に達するまで室内ファンに最大回転数を維持させる。
【００１１】
第３観点に係る空気調和機によれば、急速暖房モードが選択されると第２閾値温度に達するまで室内ファンが最大回転数で運転されるので、第２閾値温度に達するまでの風量を室内ファンの能力一杯まで多くでき、また、急速冷房モードが選択されると第４閾値温度に達するまで、室内ファンが最大回転数で運転されるので、第４閾値温度に達するまで室内ファンの能力一杯まで多くできる。
【００１２】
本発明の第４観点に係る空気調和機は、第１観点から第３観点のいずれかの空気調和機において、室内ファンが送風する風の風向を制御する風向調節板をさらに備え、制御装置は、急速暖房モードにおいて、第２閾値温度に達するまで風向調節板の向きを圧力損失が最小になる向きに維持し、急速冷房モードにおいては、第４閾値温度に達するまで風向調節板の向きを圧力損失が最小になる向きに維持する。
【００１３】
第４観点に係る空気調和機によれば、急速暖房モード又は急速冷房モードが選択されて第２閾値温度又は第４閾値温度に達するまで風向調節板での圧力損失が最小化されるので、最大風量で熱交換が行なわれる。
【００１４】
本発明の第５観点に係る空気調和機は、第４観点の空気調和機において、制御装置は、急速暖房モードにおいては、第２閾値温度に達した後に、風向を上下に変更する動作と左右に変更する動作とを風向調節板に交互に行なわせ、急速冷房モードにおいては、第４閾値温度に達した後に、風向を上下に変更する動作と左右に変更する動作とを風向調節板に交互に行なわせる。
【００１５】
第５観点に係る空気調和機によれば、風向を上下に変更する動作と左右に変更する動作とを風向調節板が交互に行なうことにより空気がかき混ぜられる。
【００１６】
本発明の第６観点に係る空気調和機は、第１観点から第５観点のいずれかの空気調和機において、制御装置は、急速暖房モード及び急速冷房モードのうちの少なくとも一方においては、サーモオフさせない制御を行なう。
【００１７】
第６観点に係る空気調和機によれば、急速暖房モードで第２閾値温度に達した後又は急速冷房モードで第４閾値温度に達した後に室内温度が目標温度に対してオーバーシュートすること又はアンダーシュートすることが予想されるため、通常暖房モード又は通常冷房モードと同じようにサーモオフしたのでは温度変化が大きくなるが、サーモオフをさせないことで、第２閾値温度又は第４閾値温度に達した後の室内温度の変化を緩やかにすることができる。
【００１８】
本発明の第７観点に係る空気調和機は、第１観点から第６観点のいずれかの空気調和機において、制御装置は、急速暖房モードを指示されたときは、第２閾値温度を超えてから第１所定時間が経過した時点で急速暖房モードを終了し、急速冷房モードを指示されたときは、第４閾値温度を超えてから第２所定時間が経過した時点で急速暖房モードを終了する。
【００１９】
第７観点に係る空気調和機によれば、一定の時間が経過することによって急速暖房モードを終わらせることで、第２閾値温度を超えた後に急速暖房モードを確実に終わらせることができるとともに、終わるまでの一定時間で緩やかに安定した室内温度に近づけることができる。また、一定の時間が経過することによって急速冷房モードを終わらせることで、第４閾値温度を超えた後に急速冷房モードを確実に終わらせることができるとともに、終わるまでの一定時間で緩やかに安定した室内温度に近づけることができる。
【００２０】
本発明の第８観点に係る空気調和機は、第１観点から第７観点のいずれかの空気調和機において、急速暖房モード及び急速冷房モードのうちの少なくとも一方を入力する専用の操作ボタンを有し、操作ボタンが操作されると通常暖房モードから急速暖房モード又は通常冷房モードから急速冷房モードに切り換える指示を制御装置に送信するリモートコントローラをさらに備えるものである。
【００２１】
第８観点に係る空気調和機によれば、専用の操作ボタンで急速暖房モード又は急速冷房モードに切り換えられるので、急速暖房モード又は急速冷房モードに切り換える時間を短縮できる。
【発明の効果】
【００２２】
本発明の第１観点に係る空気調和機では、第１閾値温度から第２閾値温度まで圧縮機の運転周波数の低下が防がれる急速暖房モードを選択可能に構成されていることで、急速暖房モードを選択することによって、通常暖房モードに比べて室内温度が設定温度に達するまでの時間を短縮して、快適性を向上させることができる。又は、第３閾値温度から第４閾値温度まで圧縮機の運転周波数の低下が防がれる急速冷房モードを選択可能に構成されていることで、急速冷房モードを選択することによって、通常冷房モードに比べて室内温度が設定温度に達するまでの時間を短縮して、快適性を向上させることができる。
【００２３】
本発明の第２観点に係る空気調和機では、急速暖房モードで第２閾値温度に達するまで室内に与えられる熱量が最大化され、或いは急速冷房モードで第４閾値温度に達するまで室内から奪われる熱量が最大化され、目標温度に達するまでの時間が短縮される。
【００２４】
本発明の第３観点に係る空気調和機では、急速暖房モードで第２閾値温度に達するまで、また急速冷房モードで第４閾値温度に達するまで室内ファンの能力一杯まで風量を多くできるので、空気調和機の能力の向上が図れ、目標温度に達するまでの時間を短縮できる。
【００２５】
本発明の第４観点に係る空気調和機では、急速暖房モードで第２閾値温度に達するまで最大風量で熱交換が行なわれ、或いは急速冷房モードで第４閾値温度に達するまで最大風量で熱交換が行なわれ、室内の温度を早く設定値に近づけることができる。
【００２６】
本発明の第５観点に係る空気調和機では、風向調節板の動作で空気がかき混ぜられることによって、一定の風向で急速に多くの熱量を与えられたことにともなって起きる室内の温度の偏りが緩和され、快適性が向上する。
【００２７】
本発明の第６観点に係る空気調和機では、急速暖房モードでサーモオフをさせないことで、第２閾値温度に達した後の室内温度の変化を緩やかにして快適性を損なわせないようにすることができる。或いは、急速冷房モードでサーモオフをさせないことで、第４閾値温度に達した後の室内温度の変化を緩やかにして快適性を損なわせないようにすることができる。
【００２８】
本発明の第７観点に係る空気調和機では、急速暖房モード又は急速冷房モードの確実な終了と終了時点での安定した室内温度とを提供することで、急速暖房モード又は急速冷房モードを利用し易くなる。
【００２９】
本発明の第８観点に係る空気調和機では、急速暖房モード又は急速冷房モードに早く切り換えられ、快適な状態を早く実現できる。
【図面の簡単な説明】
【００３０】
【図１】空気調和機の冷凍回路の概要を示す回路図。
【図２】室内機の外観を示す斜視図。
【図３】室内機の外観を示す正面図。
【図４】前面下部パネル、下部パネルカバー及び垂直フラップを外した室内機の正面図。
【図５】図２のＩ−Ｉ線断面図。
【図６】図３のＩＩ−ＩＩ線断面図。
【図７】制御系統の構成の概略を示すブロック図。
【図８】通常暖房モードと急速暖房モードの切り換えを示すフローチャート。
【図９】空気調和機の急速暖房モードの動作を説明するためのタイミングチャート。
【図１０】リモートコントローラの平面図。
【図１１】室内機の表示画面の表示を説明するための概念図。
【図１２】（ａ）〜（ｈ）急速暖房モードの表示画像を示すイメージ図。
【図１３】通常冷房モードと急速冷房モードの切り換えを示すフローチャート。
【図１４】空気調和機の急速冷房モードの動作を説明するためのタイミングチャート。
【発明を実施するための形態】
【００３１】
（１）空気調和機の冷凍回路
本発明の一実施形態に係る空気調和機１０は、図１に示されているように、主に室内に設置される室内機２０と、室内の外、通常は屋外に設置される室外機５０とを備えている。図２には、空気調和機１０を構成する冷凍回路１４の回路図が示されている。図１に示されている空気調和機１０は、冷房運転と暖房運転の両方の運転が可能であるが、本願発明の適用のためには暖房運転ができる空気調和機であればよく、必ずしも冷房運転と暖房運転の両方の運転ができなければならないことはない。
【００３２】
室内機２０は、屋外に設置される室外機５０に連絡配管１２によって接続されて、室外機５０とともに空気調和機１０の冷凍回路１４を構成する。そのために、冷媒配管や通信線や伝送線路などが通る連絡配管１２によって室内機２０と室外機５０が連絡されている。
【００３３】
図１において、各装置を繋ぐ実線は冷媒配管を表しており、各装置を繋ぐ破線は信号伝送線路を表している。図１に示されている冷凍回路１４を構成するために、室内機２０には、室内熱交換器２１などが設けられ、室外機５０には、圧縮機５１、四路切換弁５２、室外熱交換器５３、減圧機構を構成する電動弁５４及びアキュムレータ５５などが設けられている。
【００３４】
ここで、冷媒が循環する冷凍回路１４の回路構成について簡単に説明する。圧縮機５１の吐出側には四路切換弁５２の第１ポートが接続されている。四路切換弁５２の第２ポートには室外熱交換器５３の一方の出入口が接続され、第３ポートにはアキュムレータ５５が接続され、第４ポートには冷媒配管１２ｂが接続されている。四路切換弁５２は、暖房時には、実線で示されている経路に切り換えられ、第１ポートと第４ポートの間を冷媒が流れるとともに、第２ポートと第３ポートの間を冷媒が流れる。一方、冷房時に、四路切換弁５２は、点線で示されている経路に切り換えられ、第１ポートと第２ポートの間を冷媒が流れるとともに第３ポートと第４ポートの間を冷媒が流れる。室外熱交換器５３の他方の出入口は、電動弁５４と冷媒配管１２ａとを介して室内熱交換器２１の一方の出入口に接続されている。室内熱交換器２１の他方の出入口は、冷媒配管１２ｂを介して四路切換弁５２の第４ポートに接続されている。また、圧縮機５１の吸入側は、アキュムレータ５５を介して四路切換弁５２の第３ポートに接続されている。
【００３５】
（２）外気の吸込みと吹出し
室外機５０においては、冷媒と熱交換される外気の吸込みと吹き出しが行なわれる。図１に示されているように、室外機５０は、ケーシング（図示せず）によって覆われている。ケーシングの前面の略中央部にファン吹出口（図示せず）が設けられている。そして、ケーシングの背面から一方の側面にかけて、室外熱交換器５３が露出している。
【００３６】
プロペラファン５７は、ファン吹出口の背面側に配置されており、プロペラファン５７を駆動する室外ファンモータ部５８は、プロペラファン５７の背面側に配置されている。室外ファンモータ部５８に駆動されてプロペラファン５７が回転することにより送風が行なわれ、ケーシングの背面及び一方の側面から吸込まれた外気は、室外熱交換器５３を通過してケーシングの前面のファン吹出口から吹き出される。
【００３７】
（３）室内機の構成
図２〜図６を参照しながら室内機２０の構成について説明する。なお、以下の説明には、図２に矢印で示されている方向に沿って、左右、前後、上下の説明を行なう。
【００３８】
（３−１）外観
図２は、室内機２０の外観を示す斜視図である。図３は、室内機２０の外観を示す正面図である。室内機２０は、室内の床上に設置される床置型である。室内機２０は、高さ方向（鉛直方向）に長い形状をしており、高さ方向中央部から上部及び下部それぞれにかけて徐々に幅が細くなっている。室内機２０の外表面は、ケーシング部材３１により形成されている。
【００３９】
ケーシング部材３１は、樹脂製であり、主に前面から側面を覆う前面カバーと側面から背面を覆う背面カバー３１ｂとから構成されている。前面カバーは、さらに前面上部パネル３１ａ、前面下部パネル３１ｃ、及び下部パネルカバー３３、等の複数のパーツから構成されている。
【００４０】
前面上部パネル３１ａは、室内機２０の上部の側面から上部の前面にかけて覆い、吹出口Ｑのための鉛直に長い長方形の穴が前面の幅方向中央に形成されている。前面下部パネル３１ｃは、室内機２０の下部の側面から下部の前面にかけて覆い、吸込口Ｐのための鉛直に長い長方形の穴が前面の幅方向中央に形成されている。また、前面下部パネル３１ｃには、両側面にあたる部分にも吸込口Ｐのための穴が格子状に形成されている。
【００４１】
下部パネルカバー３３は、前面下部の幅方向中央の吸込口Ｐとして形成されている穴の前を覆う。下部パネルカバー３３の幅方向両端と、前面下部パネル３１ｃとの間には、隙間が形成されている。この隙間は、室内の空気を室内機２０の内部に取り込む吸込口Ｐとなっている。
【００４２】
室内機２０の前面のうち高さ方向中央部より上方には、高さ方向に長い２枚の垂直フラップ３２が設けられている。２枚の垂直フラップ３２の後方、即ち背面側には、室内熱交換器２１を通過した空気が吹き出される吹出口Ｑが設けられている。２枚の垂直フラップ３２を合わせた幅と下部パネルカバー３３の幅とは、同じであり、２枚の垂直フラップ３２を合わせた左右両端と下部パネルカバー３３の左右両端が揃うように構成されている。このため、優れた美観を生ずる。前面上部パネル３１ａの吹出口Ｑに近接する部分には、窪み３１ｄが設けられている。
【００４３】
（３−２）内部構造
図４は、前面下部パネル３１ｃ、下部パネルカバー３３及び垂直フラップ３２を外した状態の室内機２０の正面図である。
【００４４】
室内ファン２２は、例えばシロッコファンであり、図４に示されているように室内機２０の高さ方向の中央部より下方に設けられ、下部パネルカバー３３及び吸込口Ｐの後方に位置する。室内ファン２２は、室内の空気を室内機２０の内部に吸い込む。吸い込まれた空気は、室内機２０内を上方に移動する。
【００４５】
図５は、図２のＩ−Ｉ線断面図である。図６は、図３のＩＩ−ＩＩ線断面図である。室内ファン２２により室内の空気を室内機２０の内部に吸い込まれた空気は、室内機２０内を上方に移動し、図５に示されている室内熱交換器２１を通過する。室内熱交換器２１を通過する際に冷媒との間で熱交換が行なわれた空気は、吹出口Ｑから室内に吹き出される。
【００４６】
吹出口Ｑは、室内機２０の前面の高さ方向中央部より上方に設けられている。吹出口Ｑは、高さ方向に長い長方形の形状をしており、室内機２０の内部から室内への開口である。吹出口Ｑは、吹出口形成部材３７により形成されている。
【００４７】
（３−３）垂直フラップ及び水平フラップ
図５に示すように吹出口Ｑの奥に室内熱交換器２１が配置されており、その前方に水平フラップ３４が設けられている。水平フラップ３４の前方には、垂直フラップ３２が設けられている。
【００４８】
水平フラップ３４は、吹出口Ｑ内に高さ方向に並んで複数設けられている。複数の水平フラップ３４は、上下方向に並びかつそれぞれ水平方向に延びる回動軸３６により軸支されている。複数の水平フラップ３４は、これら回動軸３６を支点として回動することにより、それぞれ上下方向に傾くように構成されている。
【００４９】
垂直フラップ３２は、２つ設けられており、左側が第１垂直フラップ３２ａであり、右側が第２垂直フラップ３２ｂである。これら２つの垂直フラップ３２は、それぞれ鉛直方向に延びる回動軸３５により軸支されており、図示しない第１及び第２のアクチュエータにより駆動されて回動することにより、それぞれ別々に左右方向に傾くように構成されている。垂直フラップ３２は、当該左右方向の傾きにより風向を左右方向に調整する。２枚の垂直フラップ３２は、吹出口Ｑから空気が吹き出されない場合は、吹出口Ｑを閉じた閉状態となるように構成されている。即ち、閉状態では、図３及び図６に示すように、第１垂直フラップ３２ａは、吹出口Ｑの左端近傍部（左半分）を覆い、第２垂直フラップ３２ｂは、吹出口Ｑの右端近傍部（右半分）を覆うように構成されている。なお、２枚の垂直フラップ３２が閉状態のとき、吹出口Ｑは、垂直フラップ３２の背面側に隠れ、外からは視認できない。
【００５０】
垂直フラップ３２は、図６に示すように、閉状態から内向きに回動し、吹出口Ｑが外観上視認可能な開状態となる。具体的には、左側の第１垂直フラップ３２ａは、その左端が前方に移動し、その右端が後方に移動するように回動する。右側の第２垂直フラップ３２ｂは、その右端が前方に移動し、その左端が後方に移動するように回動する。この開状態の時に吹出口Ｑから室内熱交換器２１を通過した空気を室内に吹き出すことが可能となる。
【００５１】
複数の水平フラップ３４のうち、上半分の水平フラップ３４ａは、互いに連結部材６３ａにより連結されており、図示しない第３のアクチュエータにより駆動されて一緒に動くように構成されている。また、下半分の水平フラップ３４ｂも互いに連結部材６３ｂにより連結されており、図示しない第４のアクチュエータにより一緒に動くように構成されている。複数の水平フラップ３４は、当該上下方向の傾きにより吹出口Ｑからの風向を上下方向に調整する。
【００５２】
（３−４）制御系統の概要
空気調和機１０における空気調和の動作を正しく効率よく行わせるために、室内機２０及び室外機５０は制御装置８０によって制御されている。図１に示されているように、制御装置８０は、室外機５０の中に組み込まれている室外制御装置８１と、室内機２０に組み込まれている室内制御装置８２とからなる。図７は制御系統の構成の概略を示すブロック図である。図１及び図７に示されているように、室内制御装置８２と室外制御装置８１とは、通信線１２ｃを介して互いに接続されて互いにデータの送受信を行っている。室内制御装置８２及び室外制御装置８１は、図示しないＣＰＵ（中央演算処理装置）、メモリ及び周辺回路などを含んで構成されている。
【００５３】
室外機５０には、室外機５０の各部の温度を測定するため多数の温度センサが設けられており、室外熱交換器温度センサ４１、熱交換器出入口温度センサ４２、吸入側温度センサ４３、吐出側温度センサ４４及び外気温度センサ４５などが設けられている。
【００５４】
室外熱交換器温度センサ４１では、室外熱交換器５３の内部の冷媒の温度が測定される。室外熱交換器５３の出入口に設けられている熱交換器出入口温度センサ４２では、室外熱交換器５３から室内機２０へと流れる冷媒の温度が測定される。吸入側温度センサ４３では、圧縮機５１に吸入される冷媒の温度が測定される。吐出側温度センサ４４では、圧縮機５１から吐出される冷媒の温度が測定される。外気温度センサ４５では、室外機５０の周囲の外気温度が測定される。これらの温度センサ４１〜４５で測定された温度のデータは、室外制御装置８１に送信される。
【００５５】
室外機５０には、圧縮機５１に吸入される冷媒の圧力を測定するための吸入側圧力センサ４６及び、圧縮機５１から吐出される冷媒の圧力を測定するための吐出側圧力センサ４７などの圧力センサが設けられている。吸入側圧力センサ４６及び吐出側圧力センサ４７などで測定された冷媒の圧力のデータは室外制御装置８１に送信される。
【００５６】
さらに、室外制御装置８１には、圧縮機５１の圧縮機モータ部５９、四路切換弁５２、電動弁５４及び室外ファンモータ部５８が接続されている。この室外制御装置８１により、例えば圧縮機モータ部５９や室外ファンモータ部５８の回転数やそれらの運転・停止が制御され、四路切換弁５２の切換えが制御され、電動弁５４の開度が制御される。
【００５７】
室内機２０には、室内熱交換器２１の出入口の冷媒の温度を測定するための液側温度センサ２４とガス側温度センサ２５が設けられ、室内の温度を測定するための室内温度センサ２６が設けられている。これらの温度センサ２４〜２６で測定された温度のデータは、室内制御装置８２に送信される。また、室内制御装置８２には、室内ファン２２の室内ファンモータ部２３、風向調節機構２７及び表示部２８などが接続されている。この室内制御装置８２により、例えば室内ファンモータ部２３の回転数や運転・停止が制御される。風向調節機構２７が室内機２０に設けられた垂直フラップ３２及び水平フラップ３４の角度を変更することにより、吹出口２０ｃから室内に吹き出される調和空気の向きが調節される。
【００５８】
室内制御装置８２は、暖房時や冷房時に空気調和機１０の動作の基準となる設定温度などを入力するための入力部８３及びリモートコントローラ８４と通信可能に構成されている。入力部８３及びリモートコントローラ８４を用いて、設定温度の設定以外にも、風量及び風向などに関する各種の動作モード、表示モード、音声モード並びにタイマーなど種々の設定を入力することができる。また、室内制御装置８２は、各種の表示を行うため表示部２８に対して表示を指示する制御信号を出力する。例えば、後述する急速暖房モードなどの設定にともなって、室内制御装置８２は、急速暖房モードの表示を表示部２８に行わせることもできる。
【００５９】
（３−５）吹出口形成部材
吹出口形成部材３７は、樹脂製の部材であり、前述のとおり高さ方向に長い長方形の吹出口Ｑを形成する。吹出口形成部材３７は、吹出口Ｑの左右の内側壁を形成する左右内側壁部３８と、吹出口Ｑの上下の内側壁を形成する上下内側壁部３９とを有する。左右内側壁部３８の左右それぞれの表面には、正面吹き方向に対する段差が形成されている。具体的には、左右内側壁部３８の先端３８ａは、図６に示すように、近接するケーシング部材３１（前面上部パネル３１ａ）の外表面よりも前方に突き出ており、吹出口Ｑが前方に向かって左右方向に広がるように左右方向斜めに延びる面を有している。つまり、吹出口Ｑを正面から見ると左右の側壁に吹出口Ｑが奥に向かって狭くなる段差（傾斜を含む）が設けられている。左右内側壁部３８の先端３８ａの左右方向斜めに延びる面は、最大左右角度θにある状態の垂直フラップ３２に略平行となるように構成されている。
【００６０】
また、上下内側壁部３９の上下それぞれの表面には、正面吹き方向に対する段差が形成されている。具体的には、上下内側壁部３９は、図５に示されているように、水平フラップ３４が設置されている前後方向における位置の近傍に上下それぞれに突起した２つの枠部３９ａを有している。このため、吹出口Ｑは、枠部３９ａが設けられた位置では、上下方向の寸法Ｌ１は、それより外側、即ち前方における上下方向の寸法Ｌ２よりも小さくなっている。つまり、吹出口Ｑを正面から見ると上下の側壁に吹出口Ｑが一旦狭くなる段差（傾斜を含む）が設けられている。
【００６１】
このように吹出口Ｑの内側壁に上下左右の段差を設けることにより、少なくとも正面吹きにおいては、吹出口Ｑから吹き出された冷気がケーシング部材３１の外表面に接するのが抑制される。
【００６２】
（３−６）吹出後暖気進行空間
吹出後暖気進行空間Ｚは、吹出口Ｑから吹き出された後の空気が進行する空間であり、例えば、暖房運転時には、暖気が進行する空間である。
【００６３】
垂直フラップ３２は、その正面吹き方向に対する左右方向への最大の角度である最大左右角度θが、左右内側壁部３８の先端３８ａから最大左右角度θの方向に延びる仮想線を含み且つ鉛直に広がる仮想面Ａよりもケーシング部材３１が後方に位置するように制御される。吹出口Ｑから吹出された後の暖気が進行する吹出後暖気進行空間Ｚは、この仮想面Ａから前側に位置する。
【００６４】
また、水平フラップ３４は、その正面吹き方向に対する上下方向への最大の角度（最大上下角度）が、上下内側壁部３９の突起部４２ｂの先端から最大上下角度の方向に延びる仮想線を含み且つ水平に広がる仮想面Ｂ（図５のＢ１及びＢ２）よりもケーシング部材３１が外側に位置するように制御される。具体的には、上下内側壁部３９の上側の突起部４２ｂの先端から最大上角度（水平フラップ３４の正面吹き方向に対する上方向への最大の角度）の方向に延びる仮想面Ｂ１よりもケーシング部材３１が上側に位置するように制御される。また、上下内側壁部３９の下側の突起部４２ｂの先端から最大下角度（水平フラップ３４の正面吹き方向に対する下方向への最大の角度）の方向に延びる仮想面Ｂ２よりもケーシング部材３１が下側に位置するように制御される。吹出口Ｑから吹出された後の暖気が進行する吹出後暖気進行空間Ｚは、仮想面Ｂ１よりも下側かつ仮想面Ｂ２よりも上側に位置する。
【００６５】
（４）空気調和機の運転
（４−１）暖房運転と冷房運転
暖房時には、圧縮機５１で圧縮されて吐出された冷媒が四路切換弁５２から冷媒配管１２ｂを経由して凝縮器として働く室内熱交換器２１に送られる。暖房時に室内熱交換器２１は凝縮器として働き、凝縮により室内空気との熱交換が行われて熱を奪われた冷媒は、冷媒配管１２ａを通って電動弁５４に送られる。電動弁５４は膨張弁として働き、高圧液状の冷媒が低圧の湿り蒸気の状態に変化する。このように電動弁５４で膨張した冷媒は、室外熱交換器５３に入る。暖房時には室外熱交換器５３は蒸発器として働き、蒸発により室外空気と冷媒との間で熱交換が行われ、熱を奪って温度が上昇した冷媒は、四路切換弁５２から、圧縮機５１の吸入側に接続されているアキュムレータ５５に送られる。
【００６６】
冷房時には、圧縮機５１で圧縮されて吐出された冷媒が四路切換弁５２を介して室外熱交換器５３に送られる。そして、暖房時とは逆の経路をたどって、蒸発器として働く室内熱交換器２１を出た冷媒は圧縮機５１に送られる。つまり、冷房時には、圧縮機５１から、四路切換弁５２、室外熱交換器５３、電動弁５４、冷媒配管１２ａ、室内熱交換器２１、冷媒配管１２ｂ、四路切換弁５２、アキュムレータ５５を順に経て圧縮機５１に戻る経路を冷媒が循環する。
【００６７】
室内機２０及び室外機５０には、それぞれ、室内熱交換器２１及び室外熱交換器５３における熱交換を促すために、室内熱交換器２１に室内空気を送る室内ファン２２及び、室外熱交換器５３に外気を送るプロペラファン５７が設けられている。そして、これら室内ファン２２及びプロペラファン５７を駆動するための室内ファンモータ部２３及び室外ファンモータ部５８がそれぞれ室内機２０及び室外機５０に設けられている。
【００６８】
（４−２）暖房運転の立上げ
この空気調和機１０には、暖房運転の立上げに対して２つのモードが設けられている。一つが通常暖房モードであり、もう一つが急速暖房モードである。この実施形態において、暖房運転の立上げとは、室内温度が目標温度に達していないときに暖気を吹出して室内温度を所望の状態にする動作である。以下の説明では、ユーザが室内を所望の状態にするため、ユーザが入力部８３又はリモートコントローラ８４を使って入力する温度を設定温度と呼ぶ。また、設定温度に対して、制御装置８０が目標とする温度を目標温度と呼ぶ。具体的には、制御装置８０は、室内温度センサ２６で測定される温度によって目標温度に達したか否かを判断する。このように設定温度ではなくて目標温度に基づいて空気調和機１０が温度管理を行うのは、例えば、室内において、ユーザの位置と空気調和機１０の位置が必ずしも一致しないため、室内温度を設定温度で制御するとユーザの快適性を十分に確保できない場合があるからである。勿論、状況によっては、設定温度と目標温度が一致する場合もある。
【００６９】
ところが、制御装置８０が空気調和機１０の動作を管理するには目標温度だけでは不十分である。つまり、目標温度に達してから動作を切り換えたのでは、室内の温度変化の特性から目標温度を大きく超えたり、逆に目標温度を大きく下回ったりする。そこで、空気調和機１０の圧縮機５１の動作を制御するために、目標温度に基づいて第１閾値温度及び第２閾値温度が定められる。第１閾値温度は、通常暖房モードで用いられ、第２閾値温度は、第１閾値温度より高く設定され、急速暖房モードで用いられる。
【００７０】
通常暖房モードと急速暖房モードの切り換えについて図８のフローチャートに沿って説明する。通常暖房モードと急速暖房モードは、暖房運転において選択されるモードであるから、制御装置８０は、暖房運転の立上げの際に、空気調和機１０の制御情報から運転状態の確認を行なう（ステップＳ１）。
【００７１】
暖房運転以外の運転、例えば冷房運転などでは、急速暖房モードは選択されないので、暖房運転でない場合の説明は省略する。暖房運転と判断されると、次に、制御装置８０は、通常暖房モードか、急速暖房モードかを判断するための情報を準備する。例えば、ユーザがリモートコントローラ８４などを使って急速暖房モードを選択したことを示す情報が室内制御装置８２内のメモリに記憶されているか否かなど、制御装置８０は立上げに関する情報を取得する（ステップＳ３）。
【００７２】
制御装置８０は、取得した立上げに関する情報から急速暖房モードに入るか否かを判断する（ステップＳ４）。急速暖房モードに入る場合には、目標温度に基づいて第２閾値温度を定める（ステップＳ５）。ここでは、説明を簡単にするために、第２閾値温度が目標温度と等しいと定められたものとする。そして、急速暖房モードでの暖房運転の立上げが行なわれる（ステップＳ６）。
【００７３】
急速暖房モードの暖房運転の立上げでは、室内温度センサ２６で測定されている室内温度が第２閾値温度（目標温度）に達したか否かが判断される（ステップＳ７）。第２閾値温度に達すると目標が達せされたので、急速暖房モードを終了するため、制御装置８０は、タイマーをスタートさせる（ステップＳ８）。目標温度に達しない場合には、目標温度に達したか否かの監視が継続される（ステップＳ７）。
【００７４】
タイマーの起動後に所定時間が経過すると、制御装置８０において急速暖房モードの終了が決定され（ステップＳ９）、通常暖房モードに移行する（ステップＳ１０）。所定時間が経過するまでは、急速暖房モードが継続される（ステップＳ９）。
【００７５】
（４−３）急速暖房モードでの動作
次に、急速暖房モードにおける空気調和機１０の動作を、図９のタイミングチャートに沿って説明する。図９の室内温度及び圧縮機運転周波数のグラフにおいて、実線が急速暖房モードにおける室内温度変化の一例を示しており、一点鎖線が通常暖房モードにおける室内温度の変化の一例を示している。図９の時刻ｔｍ０において、急速暖房モードと判断され（ステップＳ４），第２閾値温度が設定されて（ステップＳ５），急速暖房モードでの立上げが開始されている（ステップＳ６）。
【００７６】
この時刻ｔｍ０では、室内温度センサ２６で測定されている温度Ｔ０が目標温度Ｔｇを大きく下回っている。制御装置８０は、時刻ｔｍ０において、目標温度Ｔｇよりも測定温度Ｔ０が低い（Ｔｇ＞Ｔ０）という条件を満たし、かつ急速暖房モードという条件を満たすので、圧縮機モータ部５９に運転周波数を最大にするよう命令する信号を出力する。時刻ｔｍ０から、圧縮機モータ部５９は、圧縮機５１の運転周波数を最大にする。
【００７７】
また、制御装置８０は、上述の２つの条件が満たされていることから、室内ファンモータ部２３に対して風量が最大となるタップに設定するよう命令する信号を出力する。この命令に応じて、室内ファンモータ部２３は、複数段階の回転数に対応する複数のタップのうち、最大の回転数に対応するタップを選択する。それにより、室内ファン２２は、回転数を最大にして室内熱交換器２１に送風する。図９の最大風量のグラフの斜線で示されている区間、回転数を最大にして室内ファン２２が送風する。さらに、水平フラップ３４及び垂直フラップ３２は、室内ファン２２が回転数を最大にして送風するときに、送風における圧力損失が最小になる位置に移動して固定される。具体的には、垂直フラップ３２は、２枚の垂直フラップ３２ａ、３２ｂの図６の二点鎖線で示された位置、つまり前後に対する角度θが最小になる位置まで移動して、全開の状態になる。また、水平フラップ３４は、上半分と下半分の水平フラップ３４ａ，３４ｂがともに水平になるように移動して固定される。この室内機２０の構成においては、水平フラップ３４は、水平になることで送風における圧力損失が最小になる。
【００７８】
次に、時刻ｔｍ１には、室内温度センサ２６が第１閾値温度を超えたことを測定する。しかし、急速暖房モードであるため、制御装置８０は、圧縮機５１の運転周波数を低下させることなく、圧縮機５１に最大運転周波数を維持させる。同様に、室内ファン２２は最大風量を維持し、垂直フラップ３２及び水平フラップ３４は風損が最小になる位置に固定された状態を維持する。
【００７９】
時刻ｔｍ２には、室内温度センサ２６が目標温度Ｔｇ（第２閾値温度）を超えたことを測定する。この結果を検知して、制御装置８０は、圧縮機５１の運転周波数を低下させる。ただし、制御装置８０は、圧縮機５１の運転周波数を急激に低下させないために、所定時間ごとに段階を追って低下させるように構成されている。そこで、この時刻ｔｍ２では、制御装置８０が圧縮機５１の運転周波数を１段回低下させる。ただし、時刻ｔｍ２以降には、圧縮機５１の運転周波数を０、つまり圧縮機５１を停止させないような制御を行なう。もし、時刻ｔｍ２で圧縮機５１の運転周波数を１段低下させることが、圧縮機５１の停止を意味する場合には、圧縮機５１の運転周波数の低下が制限される。このような圧縮機５１を停止させないような制御は、急速暖房モードの期間中継続される。
【００８０】
また、時刻ｔｍ２から、制御装置８０は、垂直フラップ３２及び水平フラップ３４の風向を変更し始める。このときまで、垂直フラップ３２及び水平フラップ３４を固定して室内に送風しているため、室内の温度分布に偏りがある可能性があるが、室内温度センサ２６が目標温度Ｔｇを測定している。そこで、制御装置８０は、時刻ｔｍ２から垂直フラップ３２及び水平フラップ３４を交互に動かし、例えば順に、右下、左下、左上、そして右上へと風向を変更させる。このとき、垂直フラップ３２及び水平フラップ３４は、上下左右のそれぞれの最大の傾きの間を往復することになる。
【００８１】
そして、時刻ｔｍ２の時点で、制御装置８０はタイマーをスタートさせる。
【００８２】
時刻ｔｍ２から時刻ｔｍ３までは、室内の温度がオーバーシュートして、目標温度Ｔｇを超えて上昇する。そのため、制御装置８０は、所定時間が経過する度に、室内温度センサ２６の測定値が目標温度Ｔｇを超えていることを判断して、圧縮機５１の運転周波数を順次下げていく。ただし、圧縮機５１の運転周波数を所定の下限値ＲＬよりも下げることはない。
【００８３】
次に、時刻ｔｍ３には、室内温度センサ２６がサーモオフ温度Ｔoffを測定する。このサーモオフ温度Ｔoffは、通常暖房モードでは、圧縮機５１を停止する温度である。しかし、急速暖房モードでは、圧縮機５１の運転周波数を下限値ＲＬに保っている。そのため、室温は、サーモオフ温度Ｔoffを超えても少し上昇するが、その後緩やかに目標温度Ｔｇに向かって下降する。
【００８４】
時刻ｔｍ４においては、タイマーがスタートしてから所定時間が経過して制御装置８０が急速暖房モードを終了させる。そして、時刻ｔｍ４以降には、通常暖房モードで空気調和機１０が運転される。
【００８５】
（４−４）急速暖房モードの表示
図１０は、リモートコントローラ８４の一例を示す平面図である。リモートコントローラ８４には、空気調和機１０のオンオフを指示するオンオフボタン８４ａ、冷房運転と暖房運転など運転を切り換えるための運転切り換えボタン８４ｂ、設定温度を上げ下げする温度調節ボタン８４ｃ、水平方向の風向を変更する水平ボタン８４ｄ、垂直方向の風向を変更する垂直ボタン８４ｅ及び風量ボタン８４ｆなどとともに、急速暖房モードへの移行を指示する専用の立上げボタン８４ｇが設けられている。また、リモートコントローラ８４には、設定温度や運転モードなどを表示する表示画面８４ｈが設けられている。
【００８６】
一方、室内機２０の正面にも、図１１に示されているように、表示画面２８ａが設けられている。図１１に示されている表示画面２８ａには、急速暖房モードに入っていることを示すパワーモニター表示２８ｂ、設定温度の表示２８ｃ、タイマー表示２８ｄなどが表示されている。
【００８７】
空気調和機１０を急速暖房モードに設定したいユーザは、例えば、リモートコントローラ８４の立上げボタン８４ｇを押す。立上げボタン８４ｇが押されると、リモートコントローラ８４から制御装置８０に急速暖房モードに設定する指示が送信される。リモートコントローラ８４から急速暖房モードの指示を受けて制御装置８０は、メモリに急速暖房モードに設定されているという情報を記憶する。このような状態で、図９の時刻ｔｍ０のように、室内温度センサ２６の測定温度が目標温度Ｔｇを下回っているときに、図８に示したように急速暖房モードでの立上げが行われる（ステップＳ６）。
【００８８】
急速暖房モードでの立上げが始まると、リモートコントローラの表示画面８４ｈ及び室内機２０の表示画面２８ａに図１２（ａ）乃至図１２（ｈ）に示されている、急速暖房モードに入っていることを表す表示がなされる。設定温度の表示２８ｃの数値が設定温度であり、タイマー表示２８ｄの記号が表示されていることでタイマーのオン状態が知らされ、パワーモニター表示２８ｂで図柄が変化することでユーザに分かりやすく急速暖房モードであることが知らされている。リモートコントローラの表示画面８４ｈ及び室内機２０の表示画面２８ａの表示は、図１２（ａ）、図１２（ｂ）、図１２（ｃ）、図１２（ｄ）、図１２（ｅ）、図１２（ｆ）、図１２（ｇ）及び図１２（ｈ）のように変化する。
【００８９】
（４−５）冷房運転の立上げ
この空気調和機１０には、冷房運転の立上げに対して２つのモードが設けられている。一つが通常冷房モードであり、もう一つが急速冷房モードである。この実施形態において、冷房運転の立上げとは、室内温度が目標温度に達していないときに冷気を吹出して室内温度を所望の状態にする動作である。
【００９０】
ところで、冷房運転では、空気調和機１０の圧縮機５１の動作を制御するために、目標温度に基づいて第３閾値温度及び第４閾値温度が定められる。第３閾値温度は、通常冷房モードで用いられ、第４閾値温度は、第３閾値温度より低く設定され、急速冷房モードで用いられる。
【００９１】
通常冷房モードと急速冷房モードの切り換えについて図１３のフローチャートに沿って説明する。通常冷房モードと急速冷房モードは、冷房運転において選択されるモードであるから、制御装置８０は、冷房運転の立上げの際に、空気調和機１０の制御情報から運転状態の確認を行なう（ステップＳ２１）。
【００９２】
冷房運転以外の運転、例えば暖房運転などでは、急速冷房モードは選択されないので、冷房運転でない場合の説明は省略する。冷房運転と判断されると、次に、制御装置８０は、通常冷房モードか、急速冷房モードかを判断するための情報を準備する。例えば、ユーザがリモートコントローラ８４などを使って急速冷房モードを選択したことを示す情報が室内制御装置８２内のメモリに記憶されているか否かなど、制御装置８０は立上げに関する情報を取得する（ステップＳ２３）。
【００９３】
制御装置８０は、取得した立上げに関する情報から急速冷房モードに入るか否かを判断する（ステップＳ２４）。急速冷房モードに入る場合には、目標温度に基づいて第４閾値温度を定める（ステップＳ２５）。ここでは、説明を簡単にするために、第４閾値温度が目標温度と等しいと定められたものとする。そして、急速冷房モードでの冷房運転の立上げが行なわれる（ステップＳ２６）。
【００９４】
急速冷房モードの冷房運転の立上げでは、室内温度センサ２６で測定されている室内温度が第４閾値温度（目標温度）に達したか否かが判断される（ステップＳ２７）。第４閾値温度に達すると目標が達せされたので、急速冷房モードを終了するため、制御装置８０は、タイマーをスタートさせる（ステップＳ２８）。目標温度に達しない場合には、目標温度に達したか否かの監視が継続される（ステップＳ２７）。
【００９５】
タイマーの起動後に所定時間が経過すると、制御装置８０において急速冷房モードの終了が決定され（ステップＳ２９）、通常冷房モードに移行する（ステップＳ３０）。所定時間が経過するまでは、急速冷房モードが継続される（ステップＳ２９）。
【００９６】
（４−６）急速冷房モードでの動作
次に、急速冷房モードにおける空気調和機１０の動作を、図１４のタイミングチャートに沿って説明する。図１４の室内温度及び圧縮機運転周波数のグラフにおいて、実線が急速冷房モードにおける室内温度変化の一例を示しており、一点鎖線が通常冷房モードにおける室内温度の変化の一例を示している。図１４の時刻ｔｍ10において、急速冷房モードと判断され（ステップＳ２４），第４閾値温度が設定されて（ステップＳ２５），急速冷房モードでの立上げが開始されている（ステップＳ２６）。
【００９７】
この時刻ｔｍ10では、室内温度センサ２６で測定されている温度Ｔ０が目標温度Ｔｇを大きく上回っている。制御装置８０は、時刻ｔｍ10において、目標温度Ｔｇよりも測定温度Ｔ０が高い（Ｔｇ＜Ｔ０）という条件を満たし、かつ急速冷房モードという条件を満たすので、圧縮機モータ部５９に運転周波数を最大にするよう命令する信号を出力する。時刻ｔｍ10から、圧縮機モータ部５９は、圧縮機５１の運転周波数を最大にする。
【００９８】
また、制御装置８０は、上述の２つの条件が満たされていることから、室内ファンモータ部２３及び室外ファンモータ部５０に対して風量が最大となるタップに設定するよう命令する信号を出力する。この命令に応じて、室内ファンモータ部２３及び室外ファンモータ部５０は、複数段階の回転数に対応する複数のタップのうち、最大の回転数に対応するタップを選択する。それにより、室内ファン２２は、回転数を最大にして室内熱交換器２１に送風する。図１４の最大風量のグラフの斜線で示されている区間で、回転数を最大にして室内ファン２２が送風する。さらに、水平フラップ３４及び垂直フラップ３２は、室内ファン２２が回転数を最大にして送風するときに、送風における圧力損失が最小になる位置に移動して固定される。具体的には、垂直フラップ３２は、２枚の垂直フラップ３２ａ、３２ｂの図６の二点鎖線で示された位置、つまり前後に対する角度θが最小になる位置まで移動して、全開の状態になる。また、水平フラップ３４は、上半分と下半分の水平フラップ３４ａ，３４ｂがともに水平になるように移動して固定される。この室内機２０の構成においては、冷房運転時についても、水平フラップ３４は、水平になることで送風における圧力損失が最小になる。
【００９９】
次に、時刻ｔｍ11には、室内温度センサ２６が第３閾値温度を下回ったことを測定する。しかし、急速冷房モードであるため、制御装置８０は、圧縮機５１の運転周波数を低下させることなく、圧縮機５１に最大運転周波数を維持させる。同様に、室内ファン２２及びプロペラファン５７は最大風量を維持し、垂直フラップ３２及び水平フラップ３４は風損が最小になる位置に固定された状態を維持する。
【０１００】
時刻ｔｍ12には、室内温度センサ２６が目標温度Ｔｇ（第４閾値温度）を下回ったことを測定する。この結果を検知して、制御装置８０は、圧縮機５１の運転周波数を低下させる。ただし、制御装置８０は、圧縮機５１の運転周波数を急激に低下させないために、所定時間ごとに段階を追って低下させるように構成されている。そこで、この時刻ｔｍ12では、制御装置８０が圧縮機５１の運転周波数を１段回低下させる。ただし、時刻ｔｍ12以降には、圧縮機５１の運転周波数を０、つまり圧縮機５１を停止させないような制御を行なう。もし、時刻ｔｍ12で圧縮機５１の運転周波数を１段低下させることが、圧縮機５１の停止を意味する場合には、圧縮機５１の運転周波数の低下が制限される。このような圧縮機５１を停止させないような制御は、急速冷房モードの期間中継続される。
【０１０１】
また、時刻ｔｍ12から、制御装置８０は、垂直フラップ３２及び水平フラップ３４の風向を変更し始める。このときまで、垂直フラップ３２及び水平フラップ３４を固定して室内に送風しているため、室内の温度分布に偏りがある可能性があるが、室内温度センサ２６が目標温度Ｔｇを測定している。そこで、制御装置８０は、時刻ｔｍ12から垂直フラップ３２及び水平フラップ３４を交互に動かし、例えば順に、右下、左下、左上、そして右上へと風向を変更させる。このとき、垂直フラップ３２及び水平フラップ３４は、上下左右のそれぞれの最大の傾きの間を往復することになる。
【０１０２】
そして、時刻ｔｍ12の時点で、制御装置８０はタイマーをスタートさせる（ステップＳ２８）。
【０１０３】
時刻ｔｍ12から時刻ｔｍ13までは、室内の温度がアンダーシュートして、目標温度Ｔｇを下回って下降する。そのため、制御装置８０は、所定時間が経過する度に、室内温度センサ２６の測定値が目標温度Ｔｇを下回っていることを判断して、圧縮機５１の運転周波数を順次下げていく。ただし、圧縮機５１の運転周波数を所定の下限値ＲＬよりも下げることはない。
【０１０４】
次に、時刻ｔｍ13には、室内温度センサ２６がサーモオフ温度Ｔoffを測定する。このサーモオフ温度Ｔoffは、通常冷房モードでは、圧縮機５１を停止する温度である。しかし、急速冷房モードでは、圧縮機５１の運転周波数を下限値ＲＬに保っている。そのため、室温は、サーモオフ温度Ｔoffを超えても少し下降するが、その後緩やかに目標温度Ｔｇに向かって上昇する。
【０１０５】
時刻ｔｍ14においては、タイマーがスタートしてから所定時間が経過して制御装置８０が急速冷房モードを終了させる（ステップＳ２９）。この時刻ｔｍ14において、最大風量での室内ファン２２及びプロペラファン５７の運転が終了し、垂直フラップ３２及び水平フラップ３４の立体的変更も終了する。そして、時刻ｔｍ14以降には、通常冷房モードで空気調和機１０が運転される（ステップＳ３０）。
【０１０６】
（４−７）急速冷房モードの表示
急速冷房モードの表示も、急速暖房モードと同様に、急速冷房モードであることが明確にユーザに伝わるように行なわれる。空気調和機１０を急速冷房モードに設定したいユーザは、例えば、冷房運転モードにおいて、リモートコントローラ８４の立上げボタン８４ｇを押す。冷房運転モードにおいて、立上げボタン８４ｇが押されると、リモートコントローラ８４から制御装置８０に急速冷房モードに設定する指示が送信される。リモートコントローラ８４から急速冷房モードの指示を受けて制御装置８０は、メモリに急速冷房モードに設定されているという情報を記憶する。このような状態で、図１４の時刻ｔｍ10のように、室内温度センサ２６の測定温度が目標温度Ｔｇを上回っているときに、図１３に示したように急速冷房モードでの立上げが行われる（ステップＳ２６）。
【０１０７】
急速冷房モードでの立上げが始まると、リモートコントローラ８４の表示画面８４ｈ及び室内機２０の表示画面２８ａに急速冷房モードに入っていることを表す表示がなされる。例えば、図１２（ａ）乃至図１２（ｈ）に示されている急速暖房モードが赤色で表示されるとすれば、急速冷房モードでは青色で表示されるなど、いずれのモードで運転されているかが一目で分かるような表示が好ましい。
【０１０８】
（５）特徴
（５−１）
上記実施形態の冷凍回路１４においては、暖房運転時に、圧縮機５１、室内熱交換器２１、電動弁５４（減圧機構の一例）及び室外熱交換器５３の順に冷媒が循環する。通常暖房モード（ステップＳ１０）では、図９に一点鎖線で示されているように、室内温度センサ２６で測定される温度（室内温度の一例）が第１閾値温度Ｔｈ１に達すると圧縮機５１の運転周波数が低下し始める。具体的には、第１閾値温度Ｔｈ１と目標温度Ｔｇ（第２閾値温度の一例）との間を例えば０．５℃刻みで複数の比較温度が設定されており、この比較温度を超える毎に圧縮機５１の運転周波数が制御装置８０によって低下させられる。そのため、一点鎖線で示されている通常暖房モードでは、目標温度Ｔｇに到達するのが遅くなる。
【０１０９】
上記実施形態の冷凍回路１４においては、冷房運転時に、圧縮機５１、室外熱交換器５３、電動弁５４（減圧機構の一例）及び室内熱交換器２１の順に冷媒が循環する。通常冷房モード（ステップＳ３０）では、図１４に一点鎖線で示されているように、室内温度センサ２６で測定される温度（室内温度の一例）が第３閾値温度Ｔｈ３に達すると圧縮機５１の運転周波数が低下し始める。具体的には、第３閾値温度Ｔｈ３と目標温度Ｔｇ（第４閾値温度の一例）との間を例えば０．５℃刻みで複数の比較温度が設定されており、この比較温度を下回る毎に圧縮機５１の運転周波数が制御装置８０によって低下させられる。そのため、一点鎖線で示されている通常冷房モードでは、目標温度Ｔｇに到達するのが遅くなる。
【０１１０】
その一方、急速暖房モード及び急速冷房モードのいずれもモードでも、第１閾値温度Ｔｈ１又は第３閾値温度Ｔｈ３が室内温度センサ２６で測定されても圧縮機５１の運転周波数は低下しないで、最大周波数を維持する。このように、通常暖房モードでは圧縮機５１の運転周波数が低下する第１閾値温度Ｔｈ１から目標温度Ｔｇまでの温度域又は第３閾値温度Ｔｈ３から目標温度Ｔｇまでの温度域でも、急速暖房モード又は急速冷房モードが選択されると圧縮機５１の運転周波数を低下させないで運転することができる。急速暖房モードでは第１閾値温度Ｔｈ１から目標温度Ｔｇまで圧縮機５１の運転周波数の低下が防がれるので、室内温度の温度上昇を早めることができる。急速冷房モードでは第３閾値温度Ｔｈ３から目標温度Ｔｇまで圧縮機５１の運転周波数の低下が防がれるので、室内温度の温度低下を早めることができる。このように、急速暖房モードを選択することで、通常暖房モードに比べて室内温度が設定温度に達するまでの時間を短縮して、快適性を向上させることができる。同様に、急速冷房モードを選択することで、通常冷房モードに比べて室内温度が設定温度に達するまでの時間を短縮して、快適性を向上させることができる。
【０１１１】
（５−２）
図９の圧縮機運転周波数の実線のグラフから分かるように、制御装置８０は、急速暖房モードにおいて、目標温度Ｔｇ（第２閾値温度の一例）に達するまで圧縮機５１の運転周波数を最大周波数に維持している。このように、急速暖房モードが選択され、目標温度Ｔｇに達するまで最大周波数で圧縮機５１が運転されると、目標温度Ｔｇに達するまで圧縮機５１の運転により室内に与えられる熱量が最大化される。つまり、図９に示されている時刻ｔｍ１から時刻ｔｍ２までの実線と一点鎖線の間の面積が最大化されるということである。その結果、目標温度Ｔｇに達するまでの時間が短縮される。
【０１１２】
図１４の圧縮機運転周波数の実線のグラフから分かるように、制御装置８０は、急速冷房モードにおいて、目標温度Ｔｇ（第４閾値温度の一例）に達するまで圧縮機５１の運転周波数を最大周波数に維持している。このように、急速冷房モードが選択され、目標温度Ｔｇに達するまで最大周波数で圧縮機５１が運転されると、目標温度Ｔｇに達するまで圧縮機５１の運転により室内から奪われる熱量が最大化される。つまり、図１４に示されている時刻ｔｍ11から時刻ｔｍ12までの実線と一点鎖線の間の面積が最大化されるということである。その結果、目標温度Ｔｇに達するまでの時間が短縮される。
【０１１３】
（５−３）
図９の最大風量のグラフの時刻ｔｍ０から時刻ｔｍ４まで室内ファン２２が最大回転数になっていることが分かる。つまり、制御装置８０は、急速暖房モードにおいて、目標温度Ｔｇ（第２閾値温度の一例）に達するまで室内ファンに最大回転数を維持させている。
【０１１４】
図１４の最大風量のグラフの時刻ｔｍ10から時刻ｔｍ14まで室内ファン２２が最大回転数になっていることが分かる。つまり、制御装置８０は、急速冷房モードにおいて、目標温度Ｔｇ（第４閾値温度の一例）に達するまで室内ファン２２に最大回転数を維持させている。
【０１１５】
このように、急速暖房モード又は急速冷房モードで目標温度Ｔｇに達するまで室内ファン２２に最大回転数を維持させるので、室内ファン２２の能力一杯まで室内熱交換器２１に送風される風量を多くすることができる。それにより、空気調和機１０の能力の向上が図れ、目標温度Ｔｇに達するまでの時間を短縮できる。
【０１１６】
なお、急速暖房モードが選択されている状況では、目標温度Ｔｇに達するまで圧縮機５１が最大運転周波数で運転されているので、圧縮機５１が過熱し易い状態になっている。このように目標温度Ｔｇに達するまで室内ファン２２が最大回転数で運転して室内熱交換器２１に供給する風量を多くすることで、冷媒からより多くの熱量が奪われるので、室内温度を急速に上昇させる際に圧縮機５１が過熱して不具合が発生するのを抑制することができる。
【０１１７】
（５−４）
図９に示されているように、制御装置８０は、時刻ｔｍ０から時刻ｔｍ２まで最大風量位置に垂直フラップ３２及び水平フラップ３４（風向調節板の一例）が固定される。具体的には、垂直フラップ３２は角度θが最小になる位置に固定され、水平フラップ３４は水平に固定される。これら垂直フラップ３２及び水平フラップ３４の向は、送風における圧力損失が最小になる向きに一致している。このとき室内ファン２２が最大回転数で運転されているが、垂直フラップ３２及び水平フラップ３４での圧力損失が最小化されるので、最大風量で熱交換が行なわれる。それにより、室内を急速に暖房し易くなり、また急速暖房モードで目標温度Ｔｇに達するまで最大運転周波数で運転されている圧縮機５１が、さらに過熱し難くなる。
【０１１８】
同様に、図１４に示されているように、制御装置８０は、時刻ｔｍ10から時刻ｔｍ12まで最大風量位置に垂直フラップ３２及び水平フラップ３４（風向調節板の一例）が固定され、室内を急速に冷房し易くなる。
【０１１９】
（５−５）
図９に示されている時刻ｔｍ２から時刻ｔｍ４までは、急速暖房モードであるが、既に目標温度Ｔｇ（第２閾値温度）に達した後の期間である。時刻ｔｍ０から時刻ｔｍ２までは、できるだけ多くの熱量をできるだけ圧縮機５１を加熱しないで室内に与えるために風向が固定されている。そのため、ともすると室内に温度の偏りが発生しやすい。そこで、時刻ｔｍ２から時刻ｔｍ４まで垂直フラップ３２及び水平フラップ３４に、風向を上下に変更する動作と左右に変更する動作とを交互に行なわせる。この実施形態では、順に、右下、左下、左上、そして右上へと風向を変更させている。ここで重要なのは、上下方向と左右方向に立体的に風向を変更することであり、上述の順序に限定されるものではない。風向を上下に変更する動作と左右に変更する動作とを垂直フラップ３２及び水平フラップ３４が交互に行なうことにより空気がかき混ぜられ、一定の風向で急速に多くの熱量を与えられたことなどにともなって起きる室内の温度の偏りが緩和され、快適性が向上する。
【０１２０】
図１４に示されている時刻ｔｍ12から時刻ｔｍ14までの急速冷房モードにおいても、立体的に風向を変更することで、室内の温度の偏りが緩和され、快適性が向上する。
【０１２１】
（５−６）
図９に示されているように、制御装置８０は、急速暖房モードにおいては、たとえ室内温度がオーバーシュートしても圧縮機５１の運転周波数を下限値ＲＬよりも低下させない。つまり、急速暖房モードの期間ｔｍ０からｔｍ４においては、制御装置８０がサーモオフさせない制御を行なっている。
【０１２２】
急速暖房モードで目標温度Ｔｇに達した後に室内温度が目標温度に対してオーバーシュートすることが予想されるため、通常暖房モードと同じようにサーモオフしたのでは急激に温度が低下するなど温度変化が大きくなりすぎる。そこで、サーモオフをさせないことで、目標温度Ｔｇに達した後の室内温度の変化を緩やかにして快適性を損なわせないようにしている。
【０１２３】
急速冷房モードにおいても同様に、図１４に示されているように、制御装置８０は、圧縮機５１の運転周波数を下限値ＲＬよりも低下させない。急速冷房モードにおいてもサーモオフをさせないことで、目標温度Ｔｇに達した後の室内温度の変化を緩やかにして快適性を損なわせないようにしている。
【０１２４】
（５−７）
制御装置８０は、急速暖房モードを指示されたときは、目標温度Ｔｇを超えた時刻ｔｍ２からタイマーが所定の時間をカウントした時刻ｔｍ４、つまり所定の時間が経過した時点で急速暖房モードを終了する。このように、一定の時間が経過することによって急速暖房モードを終わらせることで、目標温度Ｔｇを超えた後に急速暖房モードを確実に終わらせることができる。また、時刻ｔｍ４を見ると、終わるまでの一定時間で緩やかに安定した室内温度に近づけることができている。急速暖房モードの確実な終了と急速暖房モードの終了時点での安定した室内温度とを提供することで、ユーザが急速暖房モードを利用し易くなる。
【０１２５】
急速冷房モードでも、制御装置８０が目標温度Ｔｇを超えた時刻ｔｍ12からタイマーが所定の時間をカウントした時刻ｔｍ1で急速冷房モードを終了する。それにより、目標温度Ｔｇを超えた後に急速冷房モードを確実に終わらせることができまた、急速冷房モードの終了時点での安定した室内温度を提供することができる。
【０１２６】
（５−８）
図１０に示されているリモートコントローラ８４には、急速暖房モードを入力する専用の操作ボタンである立上げボタン８４ｇが設けられている。リモートコントローラ８４は、立上げボタン８４ｇが操作されると通常暖房モードから急速暖房モードに切り換える指示を制御装置８０に送信する。このように、急速暖房モードへの切り換え専用に設けられている立上げボタン８４ｇで急速暖房モードに切り換えられるので、ユーザは、急速暖房モードに素早く切り換えられる。それにより、急速暖房モードに切り換える時間が短縮され、快適な状態が早く実現できることになる。
【０１２７】
立上げボタン８４ｇを急速冷房モードを入力する専用の操作ボタンとして使用することもでき、ユーザは、急速冷房モードに素早く切り換えられる。それにより、急速冷房モードに切り換える時間が短縮され、快適な状態が早く実現できることになる。
【０１２８】
（６）変形例
（６−１）
上記実施形態では、暖房運転と冷房運転が可能な冷凍回路１４を有する空気調和機１０を例に上げて説明したが、上記実施形態に係る発明が適用できるのは暖房運転と冷房運転の両方が可能な冷凍回路を有する空気調和機に限られるものではなく、暖房運転のみ可能な冷凍回路を有する空気調和機、冷房運転のみ可能な冷凍回路を有する空気調和機、あるいは暖房運転と冷房運転以外の例えば除湿運転が可能な冷凍回路を有する空気調和機にも適用できる。
【０１２９】
（６−２）
上記実施形態では、第２閾値温度及び第４閾値温度が目標温度Ｔｇと同じ場合について説明したが、必ずしも第２閾値温度及び第４閾値温度が目標温度Ｔｇと同じである必要はない。例えば、第２閾値温度は、第１閾値温度Ｔｈ１と目標温度Ｔｇとの間の適当な温度とすることもでき、目標温度Ｔｇより少し高い温度とすることもできる。また、第４閾値温度は、第３閾値温度Ｔｈ３と目標温度Ｔｇとの間の適当な温度とすることもでき、目標温度Ｔｇより少し低い温度とすることもできる。
【０１３０】
（６−３）
上記実施形態では、急速暖房モードにおいて圧縮機５１の運転周波数が第２閾値温度に達するまでは、また急速冷房モードにおいて圧縮機５１の運転周波数が第４閾値温度に達するまでは最大周波数に固定されているが、運転周波数は、例えば、最大周波数から少し低い周波数と最大周波数の間の範囲で制御されるように構成されてもよい。
【０１３１】
（６−４）
上記実施形態では、急速暖房モードにおいて室内ファン２２の回転数が第２閾値温度に達するまでは、また急速冷房モードにおいて圧縮機５１の運転周波数が第４閾値温度に達するまでは最大回転数に固定されているが、回転数は、例えば、最大回転数から少し低い回転数と最大回転数の間の範囲で制御されるように構成されてもよい。
【符号の説明】
【０１３２】
１０  空気調和機
１４  冷凍回路
２０  室内機
２１  室内熱交換器
２２  室内ファン
３２  垂直フラップ
３４  水平フラップ
５０  室外機
５１  圧縮機
５３  室外熱交換器
５４  電動弁
８０  制御装置
８１  室外制御装置
８２  室内制御装置
８４  リモートコントローラ
【先行技術文献】
【特許文献】
【０１３３】
【特許文献１】特開平０７−３３２７７２号公報
【図１】
2014040969.tif 000003
【図２】
2014040969.tif 000004
【図３】
2014040969.tif 000005
【図４】
2014040969.tif 000006
【図５】
2014040969.tif 000007
【図６】
2014040969.tif 000008
【図７】
2014040969.tif 000009
【図８】
2014040969.tif 000010
【図９】
2014040969.tif 000011
【図１０】
2014040969.tif 000012
【図１１】
2014040969.tif 000013
【図１２】
2014040969.tif 000014
【図１３】
2014040969.tif 000015
【図１４】
2014040969.tif 000016
【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
圧縮機（５１）、室内熱交換器（２１）、減圧機構（５４）及び室外熱交換器（５３）の順に冷媒を循環させて暖房運転を行う冷凍回路（１４）及び圧縮機（５１）、室外熱交換器（５３）、減圧機構（５４）及び室内熱交換器（２１）の順に冷媒を循環させて冷房運転を行う冷凍回路（１４）のうちの少なくとも一方と、
前記暖房運転における通常暖房モードと急速暖房モードとの選択及び前記冷房運転における通常冷房モードと急速冷房モードとの選択のうちの少なくとも一方の選択ができるように構成されている制御装置（８０）と、
を備え、
前記制御装置は、前記通常暖房モードでは目標温度に基づいて前記目標温度より低く設定される第１閾値温度に室内温度が達すると前記圧縮機の運転周波数を低下させる運転を行い、前記急速暖房モードでは前記目標温度に基づいて前記第１閾値温度よりも高く設定される第２閾値温度に達するまで前記圧縮機の運転周波数を低下させない運転を行い、前記通常冷房モードでは前記目標温度に基づいて前記目標温度より高く設定される第３閾値温度に室内温度が達すると前記圧縮機の運転周波数を低下させる運転を行い、前記急速冷房モードでは、前記目標温度に基づいて前記第３閾値温度よりも低く設定される第４閾値温度に達するまで前記圧縮機の運転周波数を低下させない運転を行なう、
空気調和機。
【請求項２】
前記制御装置は、前記急速暖房モードにおいては、前記第２閾値温度に達するまで前記圧縮機の運転周波数を最大周波数に維持し、前記急速冷房モードにおいては、前記第４閾値温度に達するまで前記圧縮機の運転周波数を最大周波数に維持する、
請求項１に記載の空気調和機。
【請求項３】
前記室内熱交換器を通して室内に送風する室内ファン（２２）をさらに備え、
前記制御装置は、前記急速暖房モードにおいては、前記第２閾値温度に達するまで前記室内ファンに最大回転数を維持させ、前記急速冷房モードにおいては、前記第４閾値温度に達するまで前記室内ファンに最大回転数を維持させる、
請求項１又は請求項２に記載の空気調和機。
【請求項４】
前記室内ファンが送風する風の風向を制御する風向調節板（３２，３４）をさらに備え、
前記制御装置は、前記急速暖房モードにおいては、前記第２閾値温度に達するまで前記風向調節板の向きを圧力損失が最小になる向きに維持し、前記急速冷房モードにおいては、前記第４閾値温度に達するまで前記風向調節板の向きを圧力損失が最小になる向きに維持する、
請求項３に記載の空気調和機。
【請求項５】
前記制御装置は、前記急速暖房モードにおいては、前記第２閾値温度に達した後に、風向を上下に変更する動作と左右に変更する動作とを前記風向調節板に交互に行なわせ、前記急速冷房モードにおいては、前記第４閾値温度に達した後に、風向を上下に変更する動作と左右に変更する動作とを前記風向調節板に交互に行なわせる、
請求項４に記載の空気調和機。
【請求項６】
前記制御装置は、前記急速暖房モード及び前記急速冷房モードのうちの少なくとも一方においては、サーモオフさせない制御を行なう、
請求項１から５のいずれか一項に記載の空気調和機。
【請求項７】
前記制御装置は、前記急速暖房モードを指示されたときは、前記第２閾値温度を超えてから第１所定時間が経過した時点で前記急速暖房モードを終了し、前記急速冷房モードを指示されたときは、前記第４閾値温度を超えてから第２所定時間が経過した時点で前記急速暖房モードを終了する、
請求項１から６のいずれか一項に記載の空気調和機。
【請求項８】
前記急速暖房モード及び前記急速冷房モードのうちの少なくとも一方を入力する専用の操作ボタン（８４ｇ）を有し、前記操作ボタンが操作されると前記通常暖房モードから前記急速暖房モード又は前記通常冷房モードから前記急速冷房モードに切り換える指示を前記制御装置に送信するリモートコントローラ（８４）をさらに備える、
請求項１から７のいずれか一項に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、冷凍回路を用いて暖房運転を行う空気調和機に関する。
【背景技術】
【０００２】
従来から知られている空気調和機の中には、圧縮機、室外熱交換器、減圧機構及び室内熱交換器などで冷凍回路を構成し、冷凍回路に冷媒を循環させて熱交換するものがある。このような空気調和機では、室外熱交換器や室内熱交換器で熱交換を行なわせるために、冷媒を圧縮機で圧縮して圧縮機から高温の冷媒を吐出させる。
【０００３】
このような空気調和機では、運転中、空調負荷に応じて圧縮機の運転周波数が制御され、空調負荷に応じた適切な熱交換能力が発揮される（例えば、特許文献１（特開平０７−３３２７７２号公報））。
【発明の概要】
【発明が解決しようとする課題】
【０００４】
しかし、ユーザが設定した温度まで室内温度を上げる際には、設定温度に近づくと圧縮機の運転周波数が低下する。そのため、設定温度に達するまでの時間が長くなりがちで、レリース制御の回数を減らしただけでは快適性の向上が十分に達せられているとは言い難い。
【０００５】
本発明の課題は、室内温度が設定温度に達するまでの時間を短縮して、快適性を向上させることができる空気調和機を提供することにある。
【課題を解決するための手段】
【０００６】
本発明の第１観点に係る空気調和機は、圧縮機、室内熱交換器、減圧機構及び室外熱交換器の順に冷媒を循環させて暖房運転を行う冷凍回路及び圧縮機、室外熱交換器、減圧機構及び室内熱交換器の順に冷媒を循環させて冷房運転を行う冷凍回路のうちの少なくとも一方と、暖房運転における通常暖房モードと急速暖房モードとの選択及び冷房運転における通常冷房モードと急速冷房モードとの選択のうちの少なくとも一方の選択ができるように構成されている制御装置と、を備え、制御装置は、通常暖房モードでは目標温度に基づいて目標温度より低く設定される第１閾値温度に室内温度が達すると圧縮機の運転周波数を低下させる運転を行い、急速暖房モードでは目標温度に基づいて第１閾値温度よりも高く設定される第２閾値温度に達するまで圧縮機の運転周波数を低下させない運転を行い、通常冷房モードでは目標温度に基づいて目標温度より高く設定される第３閾値温度に室内温度が達すると圧縮機の運転周波数を低下させる運転を行い、急速冷房モードでは、目標温度に基づいて第３閾値温度よりも低く設定される第４閾値温度に達するまで圧縮機の運転周波数を低下させない運転を行なうものである。
【０００７】
第１観点に係る空気調和機によれば、通常暖房モードでは圧縮機の運転周波数が低下する温度域でも、急速暖房モードが選択されると圧縮機の運転周波数を低下させないで温度上昇を早めることができる。また、通常冷房モードでは圧縮機の運転周波数が低下する温度域でも、急速冷房モードが選択されると圧縮機の運転周波数を低下させないで温度低下を早めることができる。
【０００８】
本発明の第２観点に係る空気調和機は、第１観点に係る空気調和機において、制御装置は、急速暖房モードにおいて、第２閾値温度に達するまで圧縮機の運転周波数を最大周波数に維持し、急速冷房モードにおいては、第４閾値温度に達するまで圧縮機の運転周波数を最大周波数に維持する。
【０００９】
第２観点に係る空気調和機によれば、急速暖房モードが選択されると第２閾値温度に達するまで最大周波数で圧縮機が運転されるので、第２閾値温度に達するまで圧縮機の運転により室内に与えられる熱量が最大化される。また、急速冷房モードが選択されると第４閾値温度に達するまで最大周波数で圧縮機が運転されるので、第４閾値温度に達するまで圧縮機の運転により室内から奪われる熱量が最大化される。
【００１０】
本発明の第３観点に係る空気調和機は、第１観点又は第２観点の空気調和機において、室内熱交換器を通して室内に送風する室内ファンをさらに備え、制御装置は、急速暖房モードにおいては、第２閾値温度に達するまで室内ファンに最大回転数を維持させ、急速冷房モードにおいては、第４閾値温度に達するまで室内ファンに最大回転数を維持させる。
【００１１】
第３観点に係る空気調和機によれば、急速暖房モードが選択されると第２閾値温度に達するまで室内ファンが最大回転数で運転されるので、第２閾値温度に達するまでの風量を室内ファンの能力一杯まで多くでき、また、急速冷房モードが選択されると第４閾値温度に達するまで、室内ファンが最大回転数で運転されるので、第４閾値温度に達するまで室内ファンの能力一杯まで多くできる。
【００１２】
本発明の第４観点に係る空気調和機は、第３観点の空気調和機において、室内ファンが送風する風の風向を制御する風向調節板をさらに備え、制御装置は、急速暖房モードにおいて、第２閾値温度に達するまで風向調節板の向きを圧力損失が最小になる向きに維持し、急速冷房モードにおいては、第４閾値温度に達するまで風向調節板の向きを圧力損失が最小になる向きに維持する。
【００１３】
第４観点に係る空気調和機によれば、急速暖房モード又は急速冷房モードが選択されて第２閾値温度又は第４閾値温度に達するまで風向調節板での圧力損失が最小化されるので、最大風量で熱交換が行なわれる。
【００１４】
本発明の第５観点に係る空気調和機は、第４観点の空気調和機において、制御装置は、急速暖房モードにおいては、第２閾値温度に達した後に、風向を上下に変更する動作と左右に変更する動作とを風向調節板に交互に行なわせ、急速冷房モードにおいては、第４閾値温度に達した後に、風向を上下に変更する動作と左右に変更する動作とを風向調節板に交互に行なわせる。
【００１５】
第５観点に係る空気調和機によれば、風向を上下に変更する動作と左右に変更する動作とを風向調節板が交互に行なうことにより空気がかき混ぜられる。
【００１６】
本発明の第６観点に係る空気調和機は、第１観点から第５観点のいずれかの空気調和機において、制御装置は、急速暖房モード及び急速冷房モードのうちの少なくとも一方においては、サーモオフさせない制御を行なう。
【００１７】
第６観点に係る空気調和機によれば、急速暖房モードで第２閾値温度に達した後又は急速冷房モードで第４閾値温度に達した後に室内温度が目標温度に対してオーバーシュートすること又はアンダーシュートすることが予想されるため、通常暖房モード又は通常冷房モードと同じようにサーモオフしたのでは温度変化が大きくなるが、サーモオフをさせないことで、第２閾値温度又は第４閾値温度に達した後の室内温度の変化を緩やかにすることができる。
【００１８】
本発明の第７観点に係る空気調和機は、第１観点から第６観点のいずれかの空気調和機において、制御装置は、急速暖房モードを指示されたときは、第２閾値温度を超えてから第１所定時間が経過した時点で急速暖房モードを終了し、急速冷房モードを指示されたときは、第４閾値温度を超えてから第２所定時間が経過した時点で急速暖房モードを終了する。
【００１９】
第７観点に係る空気調和機によれば、一定の時間が経過することによって急速暖房モードを終わらせることで、第２閾値温度を超えた後に急速暖房モードを確実に終わらせることができるとともに、終わるまでの一定時間で緩やかに安定した室内温度に近づけることができる。また、一定の時間が経過することによって急速冷房モードを終わらせることで、第４閾値温度を超えた後に急速冷房モードを確実に終わらせることができるとともに、終わるまでの一定時間で緩やかに安定した室内温度に近づけることができる。
【００２０】
本発明の第８観点に係る空気調和機は、第１観点から第７観点のいずれかの空気調和機において、急速暖房モード及び急速冷房モードのうちの少なくとも一方を入力する専用の操作ボタンを有し、操作ボタンが操作されると通常暖房モードから急速暖房モード又は通常冷房モードから急速冷房モードに切り換える指示を制御装置に送信するリモートコントローラをさらに備えるものである。
【００２１】
第８観点に係る空気調和機によれば、専用の操作ボタンで急速暖房モード又は急速冷房モードに切り換えられるので、急速暖房モード又は急速冷房モードに切り換える時間を短縮できる。
【発明の効果】
【００２２】
本発明の第１観点に係る空気調和機では、第１閾値温度から第２閾値温度まで圧縮機の運転周波数の低下が防がれる急速暖房モードを選択可能に構成されていることで、急速暖房モードを選択することによって、通常暖房モードに比べて室内温度が設定温度に達するまでの時間を短縮して、快適性を向上させることができる。又は、第３閾値温度から第４閾値温度まで圧縮機の運転周波数の低下が防がれる急速冷房モードを選択可能に構成されていることで、急速冷房モードを選択することによって、通常冷房モードに比べて室内温度が設定温度に達するまでの時間を短縮して、快適性を向上させることができる。
【００２３】
本発明の第２観点に係る空気調和機では、急速暖房モードで第２閾値温度に達するまで室内に与えられる熱量が最大化され、或いは急速冷房モードで第４閾値温度に達するまで室内から奪われる熱量が最大化され、目標温度に達するまでの時間が短縮される。
【００２４】
本発明の第３観点に係る空気調和機では、急速暖房モードで第２閾値温度に達するまで、また急速冷房モードで第４閾値温度に達するまで室内ファンの能力一杯まで風量を多くできるので、空気調和機の能力の向上が図れ、目標温度に達するまでの時間を短縮できる。
【００２５】
本発明の第４観点に係る空気調和機では、急速暖房モードで第２閾値温度に達するまで最大風量で熱交換が行なわれ、或いは急速冷房モードで第４閾値温度に達するまで最大風量で熱交換が行なわれ、室内の温度を早く設定値に近づけることができる。
【００２６】
本発明の第５観点に係る空気調和機では、風向調節板の動作で空気がかき混ぜられることによって、一定の風向で急速に多くの熱量を与えられたことにともなって起きる室内の温度の偏りが緩和され、快適性が向上する。
【００２７】
本発明の第６観点に係る空気調和機では、急速暖房モードでサーモオフをさせないことで、第２閾値温度に達した後の室内温度の変化を緩やかにして快適性を損なわせないようにすることができる。或いは、急速冷房モードでサーモオフをさせないことで、第４閾値温度に達した後の室内温度の変化を緩やかにして快適性を損なわせないようにすることができる。
【００２８】
本発明の第７観点に係る空気調和機では、急速暖房モード又は急速冷房モードの確実な終了と終了時点での安定した室内温度とを提供することで、急速暖房モード又は急速冷房モードを利用し易くなる。
【００２９】
本発明の第８観点に係る空気調和機では、急速暖房モード又は急速冷房モードに早く切り換えられ、快適な状態を早く実現できる。
【図面の簡単な説明】
【００３０】
【図１】空気調和機の冷凍回路の概要を示す回路図。
【図２】室内機の外観を示す斜視図。
【図３】室内機の外観を示す正面図。
【図４】前面下部パネル、下部パネルカバー及び垂直フラップを外した室内機の正面図。
【図５】図２のＩ−Ｉ線断面図。
【図６】図３のＩＩ−ＩＩ線断面図。
【図７】制御系統の構成の概略を示すブロック図。
【図８】通常暖房モードと急速暖房モードの切り換えを示すフローチャート。
【図９】空気調和機の急速暖房モードの動作を説明するためのタイミングチャート。
【図１０】リモートコントローラの平面図。
【図１１】室内機の表示画面の表示を説明するための概念図。
【図１２】（ａ）〜（ｈ）急速暖房モードの表示画像を示すイメージ図。
【図１３】通常冷房モードと急速冷房モードの切り換えを示すフローチャート。
【図１４】空気調和機の急速冷房モードの動作を説明するためのタイミングチャート。
【発明を実施するための形態】
【００３１】
（１）空気調和機の冷凍回路
本発明の一実施形態に係る空気調和機１０は、図１に示されているように、主に室内に設置される室内機２０と、室内の外、通常は屋外に設置される室外機５０とを備えている。図２には、空気調和機１０を構成する冷凍回路１４の回路図が示されている。図１に示されている空気調和機１０は、冷房運転と暖房運転の両方の運転が可能であるが、本願発明の適用のためには暖房運転ができる空気調和機であればよく、必ずしも冷房運転と暖房運転の両方の運転ができなければならないことはない。
【００３２】
室内機２０は、屋外に設置される室外機５０に連絡配管１２によって接続されて、室外機５０とともに空気調和機１０の冷凍回路１４を構成する。そのために、冷媒配管や通信線や伝送線路などが通る連絡配管１２によって室内機２０と室外機５０が連絡されている。
【００３３】
図１において、各装置を繋ぐ実線は冷媒配管を表しており、各装置を繋ぐ破線は信号伝送線路を表している。図１に示されている冷凍回路１４を構成するために、室内機２０には、室内熱交換器２１などが設けられ、室外機５０には、圧縮機５１、四路切換弁５２、室外熱交換器５３、減圧機構を構成する電動弁５４及びアキュムレータ５５などが設けられている。
【００３４】
ここで、冷媒が循環する冷凍回路１４の回路構成について簡単に説明する。圧縮機５１の吐出側には四路切換弁５２の第１ポートが接続されている。四路切換弁５２の第２ポートには室外熱交換器５３の一方の出入口が接続され、第３ポートにはアキュムレータ５５が接続され、第４ポートには冷媒配管１２ｂが接続されている。四路切換弁５２は、暖房時には、実線で示されている経路に切り換えられ、第１ポートと第４ポートの間を冷媒が流れるとともに、第２ポートと第３ポートの間を冷媒が流れる。一方、冷房時に、四路切換弁５２は、点線で示されている経路に切り換えられ、第１ポートと第２ポートの間を冷媒が流れるとともに第３ポートと第４ポートの間を冷媒が流れる。室外熱交換器５３の他方の出入口は、電動弁５４と冷媒配管１２ａとを介して室内熱交換器２１の一方の出入口に接続されている。室内熱交換器２１の他方の出入口は、冷媒配管１２ｂを介して四路切換弁５２の第４ポートに接続されている。また、圧縮機５１の吸入側は、アキュムレータ５５を介して四路切換弁５２の第３ポートに接続されている。
【００３５】
（２）外気の吸込みと吹出し
室外機５０においては、冷媒と熱交換される外気の吸込みと吹き出しが行なわれる。図１に示されているように、室外機５０は、ケーシング（図示せず）によって覆われている。ケーシングの前面の略中央部にファン吹出口（図示せず）が設けられている。そして、ケーシングの背面から一方の側面にかけて、室外熱交換器５３が露出している。
【００３６】
プロペラファン５７は、ファン吹出口の背面側に配置されており、プロペラファン５７を駆動する室外ファンモータ部５８は、プロペラファン５７の背面側に配置されている。室外ファンモータ部５８に駆動されてプロペラファン５７が回転することにより送風が行なわれ、ケーシングの背面及び一方の側面から吸込まれた外気は、室外熱交換器５３を通過してケーシングの前面のファン吹出口から吹き出される。
【００３７】
（３）室内機の構成
図２〜図６を参照しながら室内機２０の構成について説明する。なお、以下の説明には、図２に矢印で示されている方向に沿って、左右、前後、上下の説明を行なう。
【００３８】
（３−１）外観
図２は、室内機２０の外観を示す斜視図である。図３は、室内機２０の外観を示す正面図である。室内機２０は、室内の床上に設置される床置型である。室内機２０は、高さ方向（鉛直方向）に長い形状をしており、高さ方向中央部から上部及び下部それぞれにかけて徐々に幅が細くなっている。室内機２０の外表面は、ケーシング部材３１により形成されている。
【００３９】
ケーシング部材３１は、樹脂製であり、主に前面から側面を覆う前面カバーと側面から背面を覆う背面カバー３１ｂとから構成されている。前面カバーは、さらに前面上部パネル３１ａ、前面下部パネル３１ｃ、及び下部パネルカバー３３、等の複数のパーツから構成されている。
【００４０】
前面上部パネル３１ａは、室内機２０の上部の側面から上部の前面にかけて覆い、吹出口Ｑのための鉛直に長い長方形の穴が前面の幅方向中央に形成されている。前面下部パネル３１ｃは、室内機２０の下部の側面から下部の前面にかけて覆い、吸込口Ｐのための鉛直に長い長方形の穴が前面の幅方向中央に形成されている。また、前面下部パネル３１ｃには、両側面にあたる部分にも吸込口Ｐのための穴が格子状に形成されている。
【００４１】
下部パネルカバー３３は、前面下部の幅方向中央の吸込口Ｐとして形成されている穴の前を覆う。下部パネルカバー３３の幅方向両端と、前面下部パネル３１ｃとの間には、隙間が形成されている。この隙間は、室内の空気を室内機２０の内部に取り込む吸込口Ｐとなっている。
【００４２】
室内機２０の前面のうち高さ方向中央部より上方には、高さ方向に長い２枚の垂直フラップ３２が設けられている。２枚の垂直フラップ３２の後方、即ち背面側には、室内熱交換器２１を通過した空気が吹き出される吹出口Ｑが設けられている。２枚の垂直フラップ３２を合わせた幅と下部パネルカバー３３の幅とは、同じであり、２枚の垂直フラップ３２を合わせた左右両端と下部パネルカバー３３の左右両端が揃うように構成されている。このため、優れた美観を生ずる。前面上部パネル３１ａの吹出口Ｑに近接する部分には、窪み３１ｄが設けられている。
【００４３】
（３−２）内部構造
図４は、前面下部パネル３１ｃ、下部パネルカバー３３及び垂直フラップ３２を外した状態の室内機２０の正面図である。
【００４４】
室内ファン２２は、例えばシロッコファンであり、図４に示されているように室内機２０の高さ方向の中央部より下方に設けられ、下部パネルカバー３３及び吸込口Ｐの後方に位置する。室内ファン２２は、室内の空気を室内機２０の内部に吸い込む。吸い込まれた空気は、室内機２０内を上方に移動する。
【００４５】
図５は、図２のＩ−Ｉ線断面図である。図６は、図３のＩＩ−ＩＩ線断面図である。室内ファン２２により室内の空気を室内機２０の内部に吸い込まれた空気は、室内機２０内を上方に移動し、図５に示されている室内熱交換器２１を通過する。室内熱交換器２１を通過する際に冷媒との間で熱交換が行なわれた空気は、吹出口Ｑから室内に吹き出される。
【００４６】
吹出口Ｑは、室内機２０の前面の高さ方向中央部より上方に設けられている。吹出口Ｑは、高さ方向に長い長方形の形状をしており、室内機２０の内部から室内への開口である。吹出口Ｑは、吹出口形成部材３７により形成されている。
【００４７】
（３−３）垂直フラップ及び水平フラップ
図５に示すように吹出口Ｑの奥に室内熱交換器２１が配置されており、その前方に水平フラップ３４が設けられている。水平フラップ３４の前方には、垂直フラップ３２が設けられている。
【００４８】
水平フラップ３４は、吹出口Ｑ内に高さ方向に並んで複数設けられている。複数の水平フラップ３４は、上下方向に並びかつそれぞれ水平方向に延びる回動軸３６により軸支されている。複数の水平フラップ３４は、これら回動軸３６を支点として回動することにより、それぞれ上下方向に傾くように構成されている。
【００４９】
垂直フラップ３２は、２つ設けられており、左側が第１垂直フラップ３２ａであり、右側が第２垂直フラップ３２ｂである。これら２つの垂直フラップ３２は、それぞれ鉛直方向に延びる回動軸３５により軸支されており、図示しない第１及び第２のアクチュエータにより駆動されて回動することにより、それぞれ別々に左右方向に傾くように構成されている。垂直フラップ３２は、当該左右方向の傾きにより風向を左右方向に調整する。２枚の垂直フラップ３２は、吹出口Ｑから空気が吹き出されない場合は、吹出口Ｑを閉じた閉状態となるように構成されている。即ち、閉状態では、図３及び図６に示すように、第１垂直フラップ３２ａは、吹出口Ｑの左端近傍部（左半分）を覆い、第２垂直フラップ３２ｂは、吹出口Ｑの右端近傍部（右半分）を覆うように構成されている。なお、２枚の垂直フラップ３２が閉状態のとき、吹出口Ｑは、垂直フラップ３２の背面側に隠れ、外からは視認できない。
【００５０】
垂直フラップ３２は、図６に示すように、閉状態から内向きに回動し、吹出口Ｑが外観上視認可能な開状態となる。具体的には、左側の第１垂直フラップ３２ａは、その左端が前方に移動し、その右端が後方に移動するように回動する。右側の第２垂直フラップ３２ｂは、その右端が前方に移動し、その左端が後方に移動するように回動する。この開状態の時に吹出口Ｑから室内熱交換器２１を通過した空気を室内に吹き出すことが可能となる。
【００５１】
複数の水平フラップ３４のうち、上半分の水平フラップ３４ａは、互いに連結部材６３ａにより連結されており、図示しない第３のアクチュエータにより駆動されて一緒に動くように構成されている。また、下半分の水平フラップ３４ｂも互いに連結部材６３ｂにより連結されており、図示しない第４のアクチュエータにより一緒に動くように構成されている。複数の水平フラップ３４は、当該上下方向の傾きにより吹出口Ｑからの風向を上下方向に調整する。
【００５２】
（３−４）制御系統の概要
空気調和機１０における空気調和の動作を正しく効率よく行わせるために、室内機２０及び室外機５０は制御装置８０によって制御されている。図１に示されているように、制御装置８０は、室外機５０の中に組み込まれている室外制御装置８１と、室内機２０に組み込まれている室内制御装置８２とからなる。図７は制御系統の構成の概略を示すブロック図である。図１及び図７に示されているように、室内制御装置８２と室外制御装置８１とは、通信線１２ｃを介して互いに接続されて互いにデータの送受信を行っている。室内制御装置８２及び室外制御装置８１は、図示しないＣＰＵ（中央演算処理装置）、メモリ及び周辺回路などを含んで構成されている。
【００５３】
室外機５０には、室外機５０の各部の温度を測定するため多数の温度センサが設けられており、室外熱交換器温度センサ４１、熱交換器出入口温度センサ４２、吸入側温度センサ４３、吐出側温度センサ４４及び外気温度センサ４５などが設けられている。
【００５４】
室外熱交換器温度センサ４１では、室外熱交換器５３の内部の冷媒の温度が測定される。室外熱交換器５３の出入口に設けられている熱交換器出入口温度センサ４２では、室外熱交換器５３から室内機２０へと流れる冷媒の温度が測定される。吸入側温度センサ４３では、圧縮機５１に吸入される冷媒の温度が測定される。吐出側温度センサ４４では、圧縮機５１から吐出される冷媒の温度が測定される。外気温度センサ４５では、室外機５０の周囲の外気温度が測定される。これらの温度センサ４１〜４５で測定された温度のデータは、室外制御装置８１に送信される。
【００５５】
室外機５０には、圧縮機５１に吸入される冷媒の圧力を測定するための吸入側圧力センサ４６及び、圧縮機５１から吐出される冷媒の圧力を測定するための吐出側圧力センサ４７などの圧力センサが設けられている。吸入側圧力センサ４６及び吐出側圧力センサ４７などで測定された冷媒の圧力のデータは室外制御装置８１に送信される。
【００５６】
さらに、室外制御装置８１には、圧縮機５１の圧縮機モータ部５９、四路切換弁５２、電動弁５４及び室外ファンモータ部５８が接続されている。この室外制御装置８１により、例えば圧縮機モータ部５９や室外ファンモータ部５８の回転数やそれらの運転・停止が制御され、四路切換弁５２の切換えが制御され、電動弁５４の開度が制御される。
【００５７】
室内機２０には、室内熱交換器２１の出入口の冷媒の温度を測定するための液側温度センサ２４とガス側温度センサ２５が設けられ、室内の温度を測定するための室内温度センサ２６が設けられている。これらの温度センサ２４〜２６で測定された温度のデータは、室内制御装置８２に送信される。また、室内制御装置８２には、室内ファン２２の室内ファンモータ部２３、風向調節機構２７及び表示部２８などが接続されている。この室内制御装置８２により、例えば室内ファンモータ部２３の回転数や運転・停止が制御される。風向調節機構２７が室内機２０に設けられた垂直フラップ３２及び水平フラップ３４の角度を変更することにより、吹出口２０ｃから室内に吹き出される調和空気の向きが調節される。
【００５８】
室内制御装置８２は、暖房時や冷房時に空気調和機１０の動作の基準となる設定温度などを入力するための入力部８３及びリモートコントローラ８４と通信可能に構成されている。入力部８３及びリモートコントローラ８４を用いて、設定温度の設定以外にも、風量及び風向などに関する各種の動作モード、表示モード、音声モード並びにタイマーなど種々の設定を入力することができる。また、室内制御装置８２は、各種の表示を行うため表示部２８に対して表示を指示する制御信号を出力する。例えば、後述する急速暖房モードなどの設定にともなって、室内制御装置８２は、急速暖房モードの表示を表示部２８に行わせることもできる。
【００５９】
（３−５）吹出口形成部材
吹出口形成部材３７は、樹脂製の部材であり、前述のとおり高さ方向に長い長方形の吹出口Ｑを形成する。吹出口形成部材３７は、吹出口Ｑの左右の内側壁を形成する左右内側壁部３８と、吹出口Ｑの上下の内側壁を形成する上下内側壁部３９とを有する。左右内側壁部３８の左右それぞれの表面には、正面吹き方向に対する段差が形成されている。具体的には、左右内側壁部３８の先端３８ａは、図６に示すように、近接するケーシング部材３１（前面上部パネル３１ａ）の外表面よりも前方に突き出ており、吹出口Ｑが前方に向かって左右方向に広がるように左右方向斜めに延びる面を有している。つまり、吹出口Ｑを正面から見ると左右の側壁に吹出口Ｑが奥に向かって狭くなる段差（傾斜を含む）が設けられている。左右内側壁部３８の先端３８ａの左右方向斜めに延びる面は、最大左右角度θにある状態の垂直フラップ３２に略平行となるように構成されている。
【００６０】
また、上下内側壁部３９の上下それぞれの表面には、正面吹き方向に対する段差が形成されている。具体的には、上下内側壁部３９は、図５に示されているように、水平フラップ３４が設置されている前後方向における位置の近傍に上下それぞれに突起した２つの枠部３９ａを有している。このため、吹出口Ｑは、枠部３９ａが設けられた位置では、上下方向の寸法Ｌ１は、それより外側、即ち前方における上下方向の寸法Ｌ２よりも小さくなっている。つまり、吹出口Ｑを正面から見ると上下の側壁に吹出口Ｑが一旦狭くなる段差（傾斜を含む）が設けられている。
【００６１】
このように吹出口Ｑの内側壁に上下左右の段差を設けることにより、少なくとも正面吹きにおいては、吹出口Ｑから吹き出された冷気がケーシング部材３１の外表面に接するのが抑制される。
【００６２】
（３−６）吹出後暖気進行空間
吹出後暖気進行空間Ｚは、吹出口Ｑから吹き出された後の空気が進行する空間であり、例えば、暖房運転時には、暖気が進行する空間である。
【００６３】
垂直フラップ３２は、その正面吹き方向に対する左右方向への最大の角度である最大左右角度θが、左右内側壁部３８の先端３８ａから最大左右角度θの方向に延びる仮想線を含み且つ鉛直に広がる仮想面Ａよりもケーシング部材３１が後方に位置するように制御される。吹出口Ｑから吹出された後の暖気が進行する吹出後暖気進行空間Ｚは、この仮想面Ａから前側に位置する。
【００６４】
また、水平フラップ３４は、その正面吹き方向に対する上下方向への最大の角度（最大上下角度）が、上下内側壁部３９の突起部４２ｂの先端から最大上下角度の方向に延びる仮想線を含み且つ水平に広がる仮想面Ｂ（図５のＢ１及びＢ２）よりもケーシング部材３１が外側に位置するように制御される。具体的には、上下内側壁部３９の上側の突起部４２ｂの先端から最大上角度（水平フラップ３４の正面吹き方向に対する上方向への最大の角度）の方向に延びる仮想面Ｂ１よりもケーシング部材３１が上側に位置するように制御される。また、上下内側壁部３９の下側の突起部４２ｂの先端から最大下角度（水平フラップ３４の正面吹き方向に対する下方向への最大の角度）の方向に延びる仮想面Ｂ２よりもケーシング部材３１が下側に位置するように制御される。吹出口Ｑから吹出された後の暖気が進行する吹出後暖気進行空間Ｚは、仮想面Ｂ１よりも下側かつ仮想面Ｂ２よりも上側に位置する。
【００６５】
（４）空気調和機の運転
（４−１）暖房運転と冷房運転
暖房時には、圧縮機５１で圧縮されて吐出された冷媒が四路切換弁５２から冷媒配管１２ｂを経由して凝縮器として働く室内熱交換器２１に送られる。暖房時に室内熱交換器２１は凝縮器として働き、凝縮により室内空気との熱交換が行われて熱を奪われた冷媒は、冷媒配管１２ａを通って電動弁５４に送られる。電動弁５４は膨張弁として働き、高圧液状の冷媒が低圧の湿り蒸気の状態に変化する。このように電動弁５４で膨張した冷媒は、室外熱交換器５３に入る。暖房時には室外熱交換器５３は蒸発器として働き、蒸発により室外空気と冷媒との間で熱交換が行われ、熱を奪って温度が上昇した冷媒は、四路切換弁５２から、圧縮機５１の吸入側に接続されているアキュムレータ５５に送られる。
【００６６】
冷房時には、圧縮機５１で圧縮されて吐出された冷媒が四路切換弁５２を介して室外熱交換器５３に送られる。そして、暖房時とは逆の経路をたどって、蒸発器として働く室内熱交換器２１を出た冷媒は圧縮機５１に送られる。つまり、冷房時には、圧縮機５１から、四路切換弁５２、室外熱交換器５３、電動弁５４、冷媒配管１２ａ、室内熱交換器２１、冷媒配管１２ｂ、四路切換弁５２、アキュムレータ５５を順に経て圧縮機５１に戻る経路を冷媒が循環する。
【００６７】
室内機２０及び室外機５０には、それぞれ、室内熱交換器２１及び室外熱交換器５３における熱交換を促すために、室内熱交換器２１に室内空気を送る室内ファン２２及び、室外熱交換器５３に外気を送るプロペラファン５７が設けられている。そして、これら室内ファン２２及びプロペラファン５７を駆動するための室内ファンモータ部２３及び室外ファンモータ部５８がそれぞれ室内機２０及び室外機５０に設けられている。
【００６８】
（４−２）暖房運転の立上げ
この空気調和機１０には、暖房運転の立上げに対して２つのモードが設けられている。一つが通常暖房モードであり、もう一つが急速暖房モードである。この実施形態において、暖房運転の立上げとは、室内温度が目標温度に達していないときに暖気を吹出して室内温度を所望の状態にする動作である。以下の説明では、ユーザが室内を所望の状態にするため、ユーザが入力部８３又はリモートコントローラ８４を使って入力する温度を設定温度と呼ぶ。また、設定温度に対して、制御装置８０が目標とする温度を目標温度と呼ぶ。具体的には、制御装置８０は、室内温度センサ２６で測定される温度によって目標温度に達したか否かを判断する。このように設定温度ではなくて目標温度に基づいて空気調和機１０が温度管理を行うのは、例えば、室内において、ユーザの位置と空気調和機１０の位置が必ずしも一致しないため、室内温度を設定温度で制御するとユーザの快適性を十分に確保できない場合があるからである。勿論、状況によっては、設定温度と目標温度が一致する場合もある。
【００６９】
ところが、制御装置８０が空気調和機１０の動作を管理するには目標温度だけでは不十分である。つまり、目標温度に達してから動作を切り換えたのでは、室内の温度変化の特性から目標温度を大きく超えたり、逆に目標温度を大きく下回ったりする。そこで、空気調和機１０の圧縮機５１の動作を制御するために、目標温度に基づいて第１閾値温度及び第２閾値温度が定められる。第１閾値温度は、通常暖房モードで用いられ、第２閾値温度は、第１閾値温度より高く設定され、急速暖房モードで用いられる。
【００７０】
通常暖房モードと急速暖房モードの切り換えについて図８のフローチャートに沿って説明する。通常暖房モードと急速暖房モードは、暖房運転において選択されるモードであるから、制御装置８０は、暖房運転の立上げの際に、空気調和機１０の制御情報から運転状態の確認を行なう（ステップＳ１）。
【００７１】
暖房運転以外の運転、例えば冷房運転などでは、急速暖房モードは選択されないので、暖房運転でない場合の説明は省略する。暖房運転と判断されると、次に、制御装置８０は、通常暖房モードか、急速暖房モードかを判断するための情報を準備する。例えば、ユーザがリモートコントローラ８４などを使って急速暖房モードを選択したことを示す情報が室内制御装置８２内のメモリに記憶されているか否かなど、制御装置８０は立上げに関する情報を取得する（ステップＳ３）。
【００７２】
制御装置８０は、取得した立上げに関する情報から急速暖房モードに入るか否かを判断する（ステップＳ４）。急速暖房モードに入る場合には、目標温度に基づいて第２閾値温度を定める（ステップＳ５）。ここでは、説明を簡単にするために、第２閾値温度が目標温度と等しいと定められたものとする。そして、急速暖房モードでの暖房運転の立上げが行なわれる（ステップＳ６）。
【００７３】
急速暖房モードの暖房運転の立上げでは、室内温度センサ２６で測定されている室内温度が第２閾値温度（目標温度）に達したか否かが判断される（ステップＳ７）。第２閾値温度に達すると目標が達せされたので、急速暖房モードを終了するため、制御装置８０は、タイマーをスタートさせる（ステップＳ８）。目標温度に達しない場合には、目標温度に達したか否かの監視が継続される（ステップＳ７）。
【００７４】
タイマーの起動後に所定時間が経過すると、制御装置８０において急速暖房モードの終了が決定され（ステップＳ９）、通常暖房モードに移行する（ステップＳ１０）。所定時間が経過するまでは、急速暖房モードが継続される（ステップＳ９）。
【００７５】
（４−３）急速暖房モードでの動作
次に、急速暖房モードにおける空気調和機１０の動作を、図９のタイミングチャートに沿って説明する。図９の室内温度及び圧縮機運転周波数のグラフにおいて、実線が急速暖房モードにおける室内温度変化の一例を示しており、一点鎖線が通常暖房モードにおける室内温度の変化の一例を示している。図９の時刻ｔｍ０において、急速暖房モードと判断され（ステップＳ４），第２閾値温度が設定されて（ステップＳ５），急速暖房モードでの立上げが開始されている（ステップＳ６）。
【００７６】
この時刻ｔｍ０では、室内温度センサ２６で測定されている温度Ｔ０が目標温度Ｔｇを大きく下回っている。制御装置８０は、時刻ｔｍ０において、目標温度Ｔｇよりも測定温度Ｔ０が低い（Ｔｇ＞Ｔ０）という条件を満たし、かつ急速暖房モードという条件を満たすので、圧縮機モータ部５９に運転周波数を最大にするよう命令する信号を出力する。時刻ｔｍ０から、圧縮機モータ部５９は、圧縮機５１の運転周波数を最大にする。
【００７７】
また、制御装置８０は、上述の２つの条件が満たされていることから、室内ファンモータ部２３に対して風量が最大となるタップに設定するよう命令する信号を出力する。この命令に応じて、室内ファンモータ部２３は、複数段階の回転数に対応する複数のタップのうち、最大の回転数に対応するタップを選択する。それにより、室内ファン２２は、回転数を最大にして室内熱交換器２１に送風する。図９の最大風量のグラフの斜線で示されている区間、回転数を最大にして室内ファン２２が送風する。さらに、水平フラップ３４及び垂直フラップ３２は、室内ファン２２が回転数を最大にして送風するときに、送風における圧力損失が最小になる位置に移動して固定される。具体的には、垂直フラップ３２は、２枚の垂直フラップ３２ａ、３２ｂの図６の二点鎖線で示された位置、つまり前後に対する角度θが最小になる位置まで移動して、全開の状態になる。また、水平フラップ３４は、上半分と下半分の水平フラップ３４ａ，３４ｂがともに水平になるように移動して固定される。この室内機２０の構成においては、水平フラップ３４は、水平になることで送風における圧力損失が最小になる。
【００７８】
次に、時刻ｔｍ１には、室内温度センサ２６が第１閾値温度を超えたことを測定する。しかし、急速暖房モードであるため、制御装置８０は、圧縮機５１の運転周波数を低下させることなく、圧縮機５１に最大運転周波数を維持させる。同様に、室内ファン２２は最大風量を維持し、垂直フラップ３２及び水平フラップ３４は風損が最小になる位置に固定された状態を維持する。
【００７９】
時刻ｔｍ２には、室内温度センサ２６が目標温度Ｔｇ（第２閾値温度）を超えたことを測定する。この結果を検知して、制御装置８０は、圧縮機５１の運転周波数を低下させる。ただし、制御装置８０は、圧縮機５１の運転周波数を急激に低下させないために、所定時間ごとに段階を追って低下させるように構成されている。そこで、この時刻ｔｍ２では、制御装置８０が圧縮機５１の運転周波数を１段回低下させる。ただし、時刻ｔｍ２以降には、圧縮機５１の運転周波数を０、つまり圧縮機５１を停止させないような制御を行なう。もし、時刻ｔｍ２で圧縮機５１の運転周波数を１段低下させることが、圧縮機５１の停止を意味する場合には、圧縮機５１の運転周波数の低下が制限される。このような圧縮機５１を停止させないような制御は、急速暖房モードの期間中継続される。
【００８０】
また、時刻ｔｍ２から、制御装置８０は、垂直フラップ３２及び水平フラップ３４の風向を変更し始める。このときまで、垂直フラップ３２及び水平フラップ３４を固定して室内に送風しているため、室内の温度分布に偏りがある可能性があるが、室内温度センサ２６が目標温度Ｔｇを測定している。そこで、制御装置８０は、時刻ｔｍ２から垂直フラップ３２及び水平フラップ３４を交互に動かし、例えば順に、右下、左下、左上、そして右上へと風向を変更させる。このとき、垂直フラップ３２及び水平フラップ３４は、上下左右のそれぞれの最大の傾きの間を往復することになる。
【００８１】
そして、時刻ｔｍ２の時点で、制御装置８０はタイマーをスタートさせる。
【００８２】
時刻ｔｍ２から時刻ｔｍ３までは、室内の温度がオーバーシュートして、目標温度Ｔｇを超えて上昇する。そのため、制御装置８０は、所定時間が経過する度に、室内温度センサ２６の測定値が目標温度Ｔｇを超えていることを判断して、圧縮機５１の運転周波数を順次下げていく。ただし、圧縮機５１の運転周波数を所定の下限値ＲＬよりも下げることはない。
【００８３】
次に、時刻ｔｍ３には、室内温度センサ２６がサーモオフ温度Ｔoffを測定する。このサーモオフ温度Ｔoffは、通常暖房モードでは、圧縮機５１を停止する温度である。しかし、急速暖房モードでは、圧縮機５１の運転周波数を下限値ＲＬに保っている。そのため、室温は、サーモオフ温度Ｔoffを超えても少し上昇するが、その後緩やかに目標温度Ｔｇに向かって下降する。
【００８４】
時刻ｔｍ４においては、タイマーがスタートしてから所定時間が経過して制御装置８０が急速暖房モードを終了させる。そして、時刻ｔｍ４以降には、通常暖房モードで空気調和機１０が運転される。
【００８５】
（４−４）急速暖房モードの表示
図１０は、リモートコントローラ８４の一例を示す平面図である。リモートコントローラ８４には、空気調和機１０のオンオフを指示するオンオフボタン８４ａ、冷房運転と暖房運転など運転を切り換えるための運転切り換えボタン８４ｂ、設定温度を上げ下げする温度調節ボタン８４ｃ、水平方向の風向を変更する水平ボタン８４ｄ、垂直方向の風向を変更する垂直ボタン８４ｅ及び風量ボタン８４ｆなどとともに、急速暖房モードへの移行を指示する専用の立上げボタン８４ｇが設けられている。また、リモートコントローラ８４には、設定温度や運転モードなどを表示する表示画面８４ｈが設けられている。
【００８６】
一方、室内機２０の正面にも、図１１に示されているように、表示画面２８ａが設けられている。図１１に示されている表示画面２８ａには、急速暖房モードに入っていることを示すパワーモニター表示２８ｂ、設定温度の表示２８ｃ、タイマー表示２８ｄなどが表示されている。
【００８７】
空気調和機１０を急速暖房モードに設定したいユーザは、例えば、リモートコントローラ８４の立上げボタン８４ｇを押す。立上げボタン８４ｇが押されると、リモートコントローラ８４から制御装置８０に急速暖房モードに設定する指示が送信される。リモートコントローラ８４から急速暖房モードの指示を受けて制御装置８０は、メモリに急速暖房モードに設定されているという情報を記憶する。このような状態で、図９の時刻ｔｍ０のように、室内温度センサ２６の測定温度が目標温度Ｔｇを下回っているときに、図８に示したように急速暖房モードでの立上げが行われる（ステップＳ６）。
【００８８】
急速暖房モードでの立上げが始まると、リモートコントローラの表示画面８４ｈ及び室内機２０の表示画面２８ａに図１２（ａ）乃至図１２（ｈ）に示されている、急速暖房モードに入っていることを表す表示がなされる。設定温度の表示２８ｃの数値が設定温度であり、タイマー表示２８ｄの記号が表示されていることでタイマーのオン状態が知らされ、パワーモニター表示２８ｂで図柄が変化することでユーザに分かりやすく急速暖房モードであることが知らされている。リモートコントローラの表示画面８４ｈ及び室内機２０の表示画面２８ａの表示は、図１２（ａ）、図１２（ｂ）、図１２（ｃ）、図１２（ｄ）、図１２（ｅ）、図１２（ｆ）、図１２（ｇ）及び図１２（ｈ）のように変化する。
【００８９】
（４−５）冷房運転の立上げ
この空気調和機１０には、冷房運転の立上げに対して２つのモードが設けられている。一つが通常冷房モードであり、もう一つが急速冷房モードである。この実施形態において、冷房運転の立上げとは、室内温度が目標温度に達していないときに冷気を吹出して室内温度を所望の状態にする動作である。
【００９０】
ところで、冷房運転では、空気調和機１０の圧縮機５１の動作を制御するために、目標温度に基づいて第３閾値温度及び第４閾値温度が定められる。第３閾値温度は、通常冷房モードで用いられ、第４閾値温度は、第３閾値温度より低く設定され、急速冷房モードで用いられる。
【００９１】
通常冷房モードと急速冷房モードの切り換えについて図１３のフローチャートに沿って説明する。通常冷房モードと急速冷房モードは、冷房運転において選択されるモードであるから、制御装置８０は、冷房運転の立上げの際に、空気調和機１０の制御情報から運転状態の確認を行なう（ステップＳ２１）。
【００９２】
冷房運転以外の運転、例えば暖房運転などでは、急速冷房モードは選択されないので、冷房運転でない場合の説明は省略する。冷房運転と判断されると、次に、制御装置８０は、通常冷房モードか、急速冷房モードかを判断するための情報を準備する。例えば、ユーザがリモートコントローラ８４などを使って急速冷房モードを選択したことを示す情報が室内制御装置８２内のメモリに記憶されているか否かなど、制御装置８０は立上げに関する情報を取得する（ステップＳ２３）。
【００９３】
制御装置８０は、取得した立上げに関する情報から急速冷房モードに入るか否かを判断する（ステップＳ２４）。急速冷房モードに入る場合には、目標温度に基づいて第４閾値温度を定める（ステップＳ２５）。ここでは、説明を簡単にするために、第４閾値温度が目標温度と等しいと定められたものとする。そして、急速冷房モードでの冷房運転の立上げが行なわれる（ステップＳ２６）。
【００９４】
急速冷房モードの冷房運転の立上げでは、室内温度センサ２６で測定されている室内温度が第４閾値温度（目標温度）に達したか否かが判断される（ステップＳ２７）。第４閾値温度に達すると目標が達せされたので、急速冷房モードを終了するため、制御装置８０は、タイマーをスタートさせる（ステップＳ２８）。目標温度に達しない場合には、目標温度に達したか否かの監視が継続される（ステップＳ２７）。
【００９５】
タイマーの起動後に所定時間が経過すると、制御装置８０において急速冷房モードの終了が決定され（ステップＳ２９）、通常冷房モードに移行する（ステップＳ３０）。所定時間が経過するまでは、急速冷房モードが継続される（ステップＳ２９）。
【００９６】
（４−６）急速冷房モードでの動作
次に、急速冷房モードにおける空気調和機１０の動作を、図１４のタイミングチャートに沿って説明する。図１４の室内温度及び圧縮機運転周波数のグラフにおいて、実線が急速冷房モードにおける室内温度変化の一例を示しており、一点鎖線が通常冷房モードにおける室内温度の変化の一例を示している。図１４の時刻ｔｍ10において、急速冷房モードと判断され（ステップＳ２４），第４閾値温度が設定されて（ステップＳ２５），急速冷房モードでの立上げが開始されている（ステップＳ２６）。
【００９７】
この時刻ｔｍ10では、室内温度センサ２６で測定されている温度Ｔ０が目標温度Ｔｇを大きく上回っている。制御装置８０は、時刻ｔｍ10において、目標温度Ｔｇよりも測定温度Ｔ０が高い（Ｔｇ＜Ｔ０）という条件を満たし、かつ急速冷房モードという条件を満たすので、圧縮機モータ部５９に運転周波数を最大にするよう命令する信号を出力する。時刻ｔｍ10から、圧縮機モータ部５９は、圧縮機５１の運転周波数を最大にする。
【００９８】
また、制御装置８０は、上述の２つの条件が満たされていることから、室内ファンモータ部２３及び室外ファンモータ部５８に対して風量が最大となるタップに設定するよう命令する信号を出力する。この命令に応じて、室内ファンモータ部２３及び室外ファンモータ部５８は、複数段階の回転数に対応する複数のタップのうち、最大の回転数に対応するタップを選択する。それにより、室内ファン２２は、回転数を最大にして室内熱交換器２１に送風する。図１４の最大風量のグラフの斜線で示されている区間で、回転数を最大にして室内ファン２２が送風する。さらに、水平フラップ３４及び垂直フラップ３２は、室内ファン２２が回転数を最大にして送風するときに、送風における圧力損失が最小になる位置に移動して固定される。具体的には、垂直フラップ３２は、２枚の垂直フラップ３２ａ、３２ｂの図６の二点鎖線で示された位置、つまり前後に対する角度θが最小になる位置まで移動して、全開の状態になる。また、水平フラップ３４は、上半分と下半分の水平フラップ３４ａ，３４ｂがともに水平になるように移動して固定される。この室内機２０の構成においては、冷房運転時についても、水平フラップ３４は、水平になることで送風における圧力損失が最小になる。
【００９９】
次に、時刻ｔｍ11には、室内温度センサ２６が第３閾値温度を下回ったことを測定する。しかし、急速冷房モードであるため、制御装置８０は、圧縮機５１の運転周波数を低下させることなく、圧縮機５１に最大運転周波数を維持させる。同様に、室内ファン２２及びプロペラファン５７は最大風量を維持し、垂直フラップ３２及び水平フラップ３４は風損が最小になる位置に固定された状態を維持する。
【０１００】
時刻ｔｍ12には、室内温度センサ２６が目標温度Ｔｇ（第４閾値温度）を下回ったことを測定する。この結果を検知して、制御装置８０は、圧縮機５１の運転周波数を低下させる。ただし、制御装置８０は、圧縮機５１の運転周波数を急激に低下させないために、所定時間ごとに段階を追って低下させるように構成されている。そこで、この時刻ｔｍ12では、制御装置８０が圧縮機５１の運転周波数を１段回低下させる。ただし、時刻ｔｍ12以降には、圧縮機５１の運転周波数を０、つまり圧縮機５１を停止させないような制御を行なう。もし、時刻ｔｍ12で圧縮機５１の運転周波数を１段低下させることが、圧縮機５１の停止を意味する場合には、圧縮機５１の運転周波数の低下が制限される。このような圧縮機５１を停止させないような制御は、急速冷房モードの期間中継続される。
【０１０１】
また、時刻ｔｍ12から、制御装置８０は、垂直フラップ３２及び水平フラップ３４の風向を変更し始める。このときまで、垂直フラップ３２及び水平フラップ３４を固定して室内に送風しているため、室内の温度分布に偏りがある可能性があるが、室内温度センサ２６が目標温度Ｔｇを測定している。そこで、制御装置８０は、時刻ｔｍ12から垂直フラップ３２及び水平フラップ３４を交互に動かし、例えば順に、右下、左下、左上、そして右上へと風向を変更させる。このとき、垂直フラップ３２及び水平フラップ３４は、上下左右のそれぞれの最大の傾きの間を往復することになる。
【０１０２】
そして、時刻ｔｍ12の時点で、制御装置８０はタイマーをスタートさせる（ステップＳ２８）。
【０１０３】
時刻ｔｍ12から時刻ｔｍ13までは、室内の温度がアンダーシュートして、目標温度Ｔｇを下回って下降する。そのため、制御装置８０は、所定時間が経過する度に、室内温度センサ２６の測定値が目標温度Ｔｇを下回っていることを判断して、圧縮機５１の運転周波数を順次下げていく。ただし、圧縮機５１の運転周波数を所定の下限値ＲＬよりも下げることはない。
【０１０４】
次に、時刻ｔｍ13には、室内温度センサ２６がサーモオフ温度Ｔoffを測定する。このサーモオフ温度Ｔoffは、通常冷房モードでは、圧縮機５１を停止する温度である。しかし、急速冷房モードでは、圧縮機５１の運転周波数を下限値ＲＬに保っている。そのため、室温は、サーモオフ温度Ｔoffを超えても少し下降するが、その後緩やかに目標温度Ｔｇに向かって上昇する。
【０１０５】
時刻ｔｍ14においては、タイマーがスタートしてから所定時間が経過して制御装置８０が急速冷房モードを終了させる（ステップＳ２９）。この時刻ｔｍ14において、最大風量での室内ファン２２及びプロペラファン５７の運転が終了し、垂直フラップ３２及び水平フラップ３４の立体的変更も終了する。そして、時刻ｔｍ14以降には、通常冷房モードで空気調和機１０が運転される（ステップＳ３０）。
【０１０６】
（４−７）急速冷房モードの表示
急速冷房モードの表示も、急速暖房モードと同様に、急速冷房モードであることが明確にユーザに伝わるように行なわれる。空気調和機１０を急速冷房モードに設定したいユーザは、例えば、冷房運転モードにおいて、リモートコントローラ８４の立上げボタン８４ｇを押す。冷房運転モードにおいて、立上げボタン８４ｇが押されると、リモートコントローラ８４から制御装置８０に急速冷房モードに設定する指示が送信される。リモートコントローラ８４から急速冷房モードの指示を受けて制御装置８０は、メモリに急速冷房モードに設定されているという情報を記憶する。このような状態で、図１４の時刻ｔｍ10のように、室内温度センサ２６の測定温度が目標温度Ｔｇを上回っているときに、図１３に示したように急速冷房モードでの立上げが行われる（ステップＳ２６）。
【０１０７】
急速冷房モードでの立上げが始まると、リモートコントローラ８４の表示画面８４ｈ及び室内機２０の表示画面２８ａに急速冷房モードに入っていることを表す表示がなされる。例えば、図１２（ａ）乃至図１２（ｈ）に示されている急速暖房モードが赤色で表示されるとすれば、急速冷房モードでは青色で表示されるなど、いずれのモードで運転されているかが一目で分かるような表示が好ましい。
【０１０８】
（５）特徴
（５−１）
上記実施形態の冷凍回路１４においては、暖房運転時に、圧縮機５１、室内熱交換器２１、電動弁５４（減圧機構の一例）及び室外熱交換器５３の順に冷媒が循環する。通常暖房モード（ステップＳ１０）では、図９に一点鎖線で示されているように、室内温度センサ２６で測定される温度（室内温度の一例）が第１閾値温度Ｔｈ１に達すると圧縮機５１の運転周波数が低下し始める。具体的には、第１閾値温度Ｔｈ１と目標温度Ｔｇ（第２閾値温度の一例）との間を例えば０．５℃刻みで複数の比較温度が設定されており、この比較温度を超える毎に圧縮機５１の運転周波数が制御装置８０によって低下させられる。そのため、一点鎖線で示されている通常暖房モードでは、目標温度Ｔｇに到達するのが遅くなる。
【０１０９】
上記実施形態の冷凍回路１４においては、冷房運転時に、圧縮機５１、室外熱交換器５３、電動弁５４（減圧機構の一例）及び室内熱交換器２１の順に冷媒が循環する。通常冷房モード（ステップＳ３０）では、図１４に一点鎖線で示されているように、室内温度センサ２６で測定される温度（室内温度の一例）が第３閾値温度Ｔｈ３に達すると圧縮機５１の運転周波数が低下し始める。具体的には、第３閾値温度Ｔｈ３と目標温度Ｔｇ（第４閾値温度の一例）との間を例えば０．５℃刻みで複数の比較温度が設定されており、この比較温度を下回る毎に圧縮機５１の運転周波数が制御装置８０によって低下させられる。そのため、一点鎖線で示されている通常冷房モードでは、目標温度Ｔｇに到達するのが遅くなる。
【０１１０】
その一方、急速暖房モード及び急速冷房モードのいずれもモードでも、第１閾値温度Ｔｈ１又は第３閾値温度Ｔｈ３が室内温度センサ２６で測定されても圧縮機５１の運転周波数は低下しないで、最大周波数を維持する。このように、通常暖房モードでは圧縮機５１の運転周波数が低下する第１閾値温度Ｔｈ１から目標温度Ｔｇまでの温度域又は第３閾値温度Ｔｈ３から目標温度Ｔｇまでの温度域でも、急速暖房モード又は急速冷房モードが選択されると圧縮機５１の運転周波数を低下させないで運転することができる。急速暖房モードでは第１閾値温度Ｔｈ１から目標温度Ｔｇまで圧縮機５１の運転周波数の低下が防がれるので、室内温度の温度上昇を早めることができる。急速冷房モードでは第３閾値温度Ｔｈ３から目標温度Ｔｇまで圧縮機５１の運転周波数の低下が防がれるので、室内温度の温度低下を早めることができる。このように、急速暖房モードを選択することで、通常暖房モードに比べて室内温度が設定温度に達するまでの時間を短縮して、快適性を向上させることができる。同様に、急速冷房モードを選択することで、通常冷房モードに比べて室内温度が設定温度に達するまでの時間を短縮して、快適性を向上させることができる。
【０１１１】
（５−２）
図９の圧縮機運転周波数の実線のグラフから分かるように、制御装置８０は、急速暖房モードにおいて、目標温度Ｔｇ（第２閾値温度の一例）に達するまで圧縮機５１の運転周波数を最大周波数に維持している。このように、急速暖房モードが選択され、目標温度Ｔｇに達するまで最大周波数で圧縮機５１が運転されると、目標温度Ｔｇに達するまで圧縮機５１の運転により室内に与えられる熱量が最大化される。つまり、図９に示されている時刻ｔｍ１から時刻ｔｍ２までの実線と一点鎖線の間の面積が最大化されるということである。その結果、目標温度Ｔｇに達するまでの時間が短縮される。
【０１１２】
図１４の圧縮機運転周波数の実線のグラフから分かるように、制御装置８０は、急速冷房モードにおいて、目標温度Ｔｇ（第４閾値温度の一例）に達するまで圧縮機５１の運転周波数を最大周波数に維持している。このように、急速冷房モードが選択され、目標温度Ｔｇに達するまで最大周波数で圧縮機５１が運転されると、目標温度Ｔｇに達するまで圧縮機５１の運転により室内から奪われる熱量が最大化される。つまり、図１４に示されている時刻ｔｍ11から時刻ｔｍ12までの実線と一点鎖線の間の面積が最大化されるということである。その結果、目標温度Ｔｇに達するまでの時間が短縮される。
【０１１３】
（５−３）
図９の最大風量のグラフの時刻ｔｍ０から時刻ｔｍ４まで室内ファン２２が最大回転数になっていることが分かる。つまり、制御装置８０は、急速暖房モードにおいて、目標温度Ｔｇ（第２閾値温度の一例）に達するまで室内ファンに最大回転数を維持させている。
【０１１４】
図１４の最大風量のグラフの時刻ｔｍ10から時刻ｔｍ14まで室内ファン２２が最大回転数になっていることが分かる。つまり、制御装置８０は、急速冷房モードにおいて、目標温度Ｔｇ（第４閾値温度の一例）に達するまで室内ファン２２に最大回転数を維持させている。
【０１１５】
このように、急速暖房モード又は急速冷房モードで目標温度Ｔｇに達するまで室内ファン２２に最大回転数を維持させるので、室内ファン２２の能力一杯まで室内熱交換器２１に送風される風量を多くすることができる。それにより、空気調和機１０の能力の向上が図れ、目標温度Ｔｇに達するまでの時間を短縮できる。
【０１１６】
なお、急速暖房モードが選択されている状況では、目標温度Ｔｇに達するまで圧縮機５１が最大運転周波数で運転されているので、圧縮機５１が過熱し易い状態になっている。このように目標温度Ｔｇに達するまで室内ファン２２が最大回転数で運転して室内熱交換器２１に供給する風量を多くすることで、冷媒からより多くの熱量が奪われるので、室内温度を急速に上昇させる際に圧縮機５１が過熱して不具合が発生するのを抑制することができる。
【０１１７】
（５−４）
図９に示されているように、制御装置８０は、時刻ｔｍ０から時刻ｔｍ２まで最大風量位置に垂直フラップ３２及び水平フラップ３４（風向調節板の一例）が固定される。具体的には、垂直フラップ３２は角度θが最小になる位置に固定され、水平フラップ３４は水平に固定される。これら垂直フラップ３２及び水平フラップ３４の向は、送風における圧力損失が最小になる向きに一致している。このとき室内ファン２２が最大回転数で運転されているが、垂直フラップ３２及び水平フラップ３４での圧力損失が最小化されるので、最大風量で熱交換が行なわれる。それにより、室内を急速に暖房し易くなり、また急速暖房モードで目標温度Ｔｇに達するまで最大運転周波数で運転されている圧縮機５１が、さらに過熱し難くなる。
【０１１８】
同様に、図１４に示されているように、制御装置８０は、時刻ｔｍ10から時刻ｔｍ12まで最大風量位置に垂直フラップ３２及び水平フラップ３４（風向調節板の一例）が固定され、室内を急速に冷房し易くなる。
【０１１９】
（５−５）
図９に示されている時刻ｔｍ２から時刻ｔｍ４までは、急速暖房モードであるが、既に目標温度Ｔｇ（第２閾値温度）に達した後の期間である。時刻ｔｍ０から時刻ｔｍ２までは、できるだけ多くの熱量をできるだけ圧縮機５１を加熱しないで室内に与えるために風向が固定されている。そのため、ともすると室内に温度の偏りが発生しやすい。そこで、時刻ｔｍ２から時刻ｔｍ４まで垂直フラップ３２及び水平フラップ３４に、風向を上下に変更する動作と左右に変更する動作とを交互に行なわせる。この実施形態では、順に、右下、左下、左上、そして右上へと風向を変更させている。ここで重要なのは、上下方向と左右方向に立体的に風向を変更することであり、上述の順序に限定されるものではない。風向を上下に変更する動作と左右に変更する動作とを垂直フラップ３２及び水平フラップ３４が交互に行なうことにより空気がかき混ぜられ、一定の風向で急速に多くの熱量を与えられたことなどにともなって起きる室内の温度の偏りが緩和され、快適性が向上する。
【０１２０】
図１４に示されている時刻ｔｍ12から時刻ｔｍ14までの急速冷房モードにおいても、立体的に風向を変更することで、室内の温度の偏りが緩和され、快適性が向上する。
【０１２１】
（５−６）
図９に示されているように、制御装置８０は、急速暖房モードにおいては、たとえ室内温度がオーバーシュートしても圧縮機５１の運転周波数を下限値ＲＬよりも低下させない。つまり、急速暖房モードの期間ｔｍ０からｔｍ４においては、制御装置８０がサーモオフさせない制御を行なっている。
【０１２２】
急速暖房モードで目標温度Ｔｇに達した後に室内温度が目標温度に対してオーバーシュートすることが予想されるため、通常暖房モードと同じようにサーモオフしたのでは急激に温度が低下するなど温度変化が大きくなりすぎる。そこで、サーモオフをさせないことで、目標温度Ｔｇに達した後の室内温度の変化を緩やかにして快適性を損なわせないようにしている。
【０１２３】
急速冷房モードにおいても同様に、図１４に示されているように、制御装置８０は、圧縮機５１の運転周波数を下限値ＲＬよりも低下させない。急速冷房モードにおいてもサーモオフをさせないことで、目標温度Ｔｇに達した後の室内温度の変化を緩やかにして快適性を損なわせないようにしている。
【０１２４】
（５−７）
制御装置８０は、急速暖房モードを指示されたときは、目標温度Ｔｇを超えた時刻ｔｍ２からタイマーが所定の時間をカウントした時刻ｔｍ４、つまり所定の時間が経過した時点で急速暖房モードを終了する。このように、一定の時間が経過することによって急速暖房モードを終わらせることで、目標温度Ｔｇを超えた後に急速暖房モードを確実に終わらせることができる。また、時刻ｔｍ４を見ると、終わるまでの一定時間で緩やかに安定した室内温度に近づけることができている。急速暖房モードの確実な終了と急速暖房モードの終了時点での安定した室内温度とを提供することで、ユーザが急速暖房モードを利用し易くなる。
【０１２５】
急速冷房モードでも、制御装置８０が目標温度Ｔｇを超えた時刻ｔｍ12からタイマーが所定の時間をカウントした時刻ｔｍ1で急速冷房モードを終了する。それにより、目標温度Ｔｇを超えた後に急速冷房モードを確実に終わらせることができまた、急速冷房モードの終了時点での安定した室内温度を提供することができる。
【０１２６】
（５−８）
図１０に示されているリモートコントローラ８４には、急速暖房モードを入力する専用の操作ボタンである立上げボタン８４ｇが設けられている。リモートコントローラ８４は、立上げボタン８４ｇが操作されると通常暖房モードから急速暖房モードに切り換える指示を制御装置８０に送信する。このように、急速暖房モードへの切り換え専用に設けられている立上げボタン８４ｇで急速暖房モードに切り換えられるので、ユーザは、急速暖房モードに素早く切り換えられる。それにより、急速暖房モードに切り換える時間が短縮され、快適な状態が早く実現できることになる。
【０１２７】
立上げボタン８４ｇを急速冷房モードを入力する専用の操作ボタンとして使用することもでき、ユーザは、急速冷房モードに素早く切り換えられる。それにより、急速冷房モードに切り換える時間が短縮され、快適な状態が早く実現できることになる。
【０１２８】
（６）変形例
（６−１）
上記実施形態では、暖房運転と冷房運転が可能な冷凍回路１４を有する空気調和機１０を例に上げて説明したが、上記実施形態に係る発明が適用できるのは暖房運転と冷房運転の両方が可能な冷凍回路を有する空気調和機に限られるものではなく、暖房運転のみ可能な冷凍回路を有する空気調和機、冷房運転のみ可能な冷凍回路を有する空気調和機、あるいは暖房運転と冷房運転以外の例えば除湿運転が可能な冷凍回路を有する空気調和機にも適用できる。
【０１２９】
（６−２）
上記実施形態では、第２閾値温度及び第４閾値温度が目標温度Ｔｇと同じ場合について説明したが、必ずしも第２閾値温度及び第４閾値温度が目標温度Ｔｇと同じである必要はない。例えば、第２閾値温度は、第１閾値温度Ｔｈ１と目標温度Ｔｇとの間の適当な温度とすることもでき、目標温度Ｔｇより少し高い温度とすることもできる。また、第４閾値温度は、第３閾値温度Ｔｈ３と目標温度Ｔｇとの間の適当な温度とすることもでき、目標温度Ｔｇより少し低い温度とすることもできる。
【０１３０】
（６−３）
上記実施形態では、急速暖房モードにおいて圧縮機５１の運転周波数が第２閾値温度に達するまでは、また急速冷房モードにおいて圧縮機５１の運転周波数が第４閾値温度に達するまでは最大周波数に固定されているが、運転周波数は、例えば、最大周波数から少し低い周波数と最大周波数の間の範囲で制御されるように構成されてもよい。
【０１３１】
（６−４）
上記実施形態では、急速暖房モードにおいて室内ファン２２の回転数が第２閾値温度に達するまでは、また急速冷房モードにおいて圧縮機５１の運転周波数が第４閾値温度に達するまでは最大回転数に固定されているが、回転数は、例えば、最大回転数から少し低い回転数と最大回転数の間の範囲で制御されるように構成されてもよい。
【符号の説明】
【０１３２】
１０  空気調和機
１４  冷凍回路
２０  室内機
２１  室内熱交換器
２２  室内ファン
３２  垂直フラップ
３４  水平フラップ
５０  室外機
５１  圧縮機
５３  室外熱交換器
５４  電動弁
８０  制御装置
８１  室外制御装置
８２  室内制御装置
８４  リモートコントローラ
【先行技術文献】
【特許文献】
【０１３３】
【特許文献１】特開平０７−３３２７７２号公報